(57)【要約】【課題】フォーカシングレンズ群がコンパクトでフォーカシングレンズ群移動時の像倍率変化の小さいズームレンズ系を提供する。【解決手段】本発明に係るズームレンズ系は、開口絞りより物体側に配置される正レンズ群と、当該正レンズ群の像側であって開口絞りより物体側の位置に配置される負レンズ群と、当該負レンズ群と開口絞りとの間に配置されるフォーカシングレンズ群とを備え、条件（６）：０．０８＜｜ｆ1／ｆNW｜＜３．５０を満足する（ただし、ｆT／ｆW＞３．０、ｆ1：フォーカシングレンズ群の物体側に配置される正レンズ群の焦点距離、ｆNW：フォーカシングレンズ群が負のパワーを有する場合、無限遠合焦状態でのフォーカシングレンズ群と負レンズ群と広角端における合成焦点距離、フォーカシングレンズ群が正のパワーを有する場合、負レンズ群の焦点距離、ｆT：全系の望遠端での焦点距離、ｆW：全系の広角端での焦点距離）。【選択図】図１
2009251116.tif 000002
【特許請求の範囲】
【請求項１】
複数のレンズ群と、前記レンズ群中に配置される開口絞りとを備えるズームレンズ系であって、
前記複数のレンズ群のうち、開口絞りより物体側に配置され、正のパワーを有する正レンズ群と、
前記正レンズ群の像側であって、開口絞りより物体側に配置され、全系で最も絶対値の大きい負のパワーを有するとともに、ズーミングに際して光軸に沿った方向に移動する負レンズ群と、
前記負レンズ群と前記開口絞りとの間の光路中に配置され、フォーカシングに際して前記負レンズ群との間の間隔を変化させるように光軸に沿った方向に移動するフォーカシングレンズ群とを備え、
以下の条件を満足する、ズームレンズ系：
０．０８＜｜ｆ1／ｆNW｜＜３．５０    ・・・（６）
（ただし、ｆT／ｆW＞３．０である）
ここで、
ｆ1：フォーカシングレンズ群の物体側に配置される正レンズ群の焦点距離、
ｆNW：フォーカシングレンズ群が負のパワーを有する場合、無限遠合焦状態でのフォーカシングレンズ群と負レンズ群と広角端における合成焦点距離、フォーカシングレンズ群が正のパワーを有する場合、負レンズ群の焦点距離、
ｆT：全系の望遠端での焦点距離、
ｆW：全系の広角端での焦点距離
である。
【請求項２】
前記負レンズ群と、前記フォーカシングレンズ群との間の間隔は、ズーミングに際して変化する、請求項１に記載のズームレンズ系。
【請求項３】
以下の条件を満足する、請求項１又は２のいずれかに記載のズームレンズ系：
１．２＜｜ｆF／ｆW｜＜６．０    ・・・（１）
（ただし、ｆT／ｆW＞３．０である）
ここで、
ｆF：フォーカシングレンズ群の焦点距離、
ｆT：全系の望遠端での焦点距離、
ｆW：全系の広角端での焦点距離
である。
【請求項４】
以下の条件を満足する、請求項１又は２のいずれかに記載のズームレンズ系：
０．１０＜｜ｆF／ｆT｜＜１．８    ・・・（２）
（ただし、ｆT／ｆW＞３．０である）
ｆF：フォーカシングレンズ群の焦点距離、
ｆT：全系の望遠端での焦点距離、
ｆW：全系の広角端での焦点距離
である。
【請求項５】
以下の条件を満足する、請求項１又は２のいずれかに記載のズームレンズ系：
１．００＜｜ｆF／ｆNW｜＜５．００    ・・・（３）
（ただし、ｆT／ｆW＞３．０である）
ここで、
ｆF：フォーカシングレンズ群の焦点距離、
ｆNW：フォーカシングレンズ群が負のパワーを有する場合、無限遠合焦状態でのフォーカシングレンズ群と負レンズ群と広角端における合成焦点距離、フォーカシングレンズ群が正のパワーを有する場合、負レンズ群の焦点距離、
ｆT：全系の望遠端での焦点距離、
ｆW：全系の広角端での焦点距離
である。
【請求項６】
前記負レンズ群は、ズーミングに際して変化する間隔を介して正のパワーを有するレンズ群の像側に配置されており、
以下の条件を満足する、請求項１又は２のいずれかに記載のズームレンズ系：
０．０１＜ＤF／ΣＤ＜０．１０    ・・・（５）
ここで、
ＤF：フォーカシングレンズ群の軸上厚み、
ΣＤ：全系のレンズ素子の軸上厚みの総和
である。
【請求項７】
請求項１に記載のズームレンズ系と、
前記ズームレンズ系が形成する光学像を受光して、電気的な画像信号に変換する撮像センサを含むカメラ本体と接続されるカメラマウント部とを備える、交換レンズ装置。
【請求項８】
請求項１に記載のズームレンズ系を含む交換レンズ装置と、
前記交換レンズ装置とカメラマウント部を介して着脱可能に接続され、前記ズームレンズ系が形成する光学像を受光して、電気的な画像信号に変換する撮像センサを含むカメラ本体とを備える、カメラシステム。
【発明の詳細な説明】
【技術分野】
【０００１】
本発明は、ズームレンズ系、詳しくは、いわゆるデジタル一眼レフレックスカメラシステム（以下、単に「Ｄ−ＳＬＲ」という）の交換レンズ装置に用いられる撮像レンズ系として好適なズームレンズ系に関する。また、本発明は、上記ズームレンズ系を内蔵した交換レンズ装置、及びカメラシステムに関する。
【背景技術】
【０００２】
近年、Ｄ−ＳＬＲが急速に普及している。Ｄ−ＳＬＲは、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像センサを持つカメラ本体と、撮像センサの受光面に光学像を形成するための撮像レンズ系を備えた交換レンズ装置とを備えるカメラシステムである。特許文献１〜８は、このようなＤ−ＳＬＲに適用可能なズームレンズ系を開示している。
【０００３】
一方、撮影レンズ系及び撮像センサによって生成された画像データをカメラ本体の液晶ディスプレイなどの表示装置に表示する機能（以下、「ライブビュー機能」という）を持つＤ−ＳＬＲがある（例えば、特許文献９及び特許文献１０）。
【特許文献１】特開２００５−２８４０９７号公報
【特許文献２】特開２００５−３５２０５７号公報
【特許文献３】特開２００６−２２１０９２号公報
【特許文献４】特開２００５−３１６３９６号公報
【特許文献５】特開２００６−２６７４２５号公報
【特許文献６】特開２００７−２１９３１５号公報
【特許文献７】特開２００８−３１９５号公報
【特許文献８】特開２００８−１５２５１号公報
【特許文献９】特開２０００−１１１７８９号公報
【特許文献１０】特開２０００−３３３０６４号公報
【発明の開示】
【発明が解決しようとする課題】
【０００４】
特許文献９および特許文献１０記載のＤ−ＳＬＲは、ライブビュー機能を動作させている場合、コントラストＡＦ方式により合焦動作を行う。コントラストＡＦとは、撮像センサからの画像データのコントラスト値に基づく合焦動作である。以下、コントラストＡＦの動作を説明する。
【０００５】
はじめに、Ｄ−ＳＬＲは、フォーカシングレンズ群を光軸方向に高速で振動させて（以下、「ウォブリング」という）合焦状態からのズレ方向を検出する。ウォブリングの後、Ｄ−ＳＬＲは、撮像センサの出力信号から画像領域の特定の周波数帯の信号成分を検出して、合焦状態となるフォーカシングレンズ群の最適位置を演算により算出する。その後、Ｄ−ＳＬＲは、その最適位置にフォーカシングレンズ群を移動させて合焦動作を完了する。動画などで連続して合焦動作を行う場合、Ｄ−ＳＬＲは、この一連の動作を繰り返す。
【０００６】
一般に、動画の表示は、フリッカなどによる違和感を生じないようにするために、例えば３０フレーム／秒程度の高速で行われる。したがって、Ｄ−ＳＬＲにおける動画撮影も、基本的には同じ３０フレーム／秒で行わなければならない。そのため、フォーカシングレンズ群は、ウォブリング時に３０Ｈｚの高速に駆動する必要がある。
【０００７】
ところが、フォーカシングレンズ群の重量が大きいと、フォーカシングレンズ群を高速に移動させるモータやアクチュエータが大きくなってしまう。このため、鏡筒の最大径が、大きくなってしまうという問題がある。ところが、特許文献１〜８に記載のズームレンズ系は、フォーカシングレンズ群が軽量とは言い難い。
【０００８】
また、Ｄ−ＳＬＲは、ウォブリング時に被写体に対応する画像の大きさが変化することに注意する必要がある。画像の大きさの変化は、主に、フォーカシングレンズ群の光軸方向への移動によりレンズ系全体の焦点距離が変化することに起因する。ウォブリングによる撮影倍率の変化が大きい場合、撮影者は違和感を生じてしまう。
【０００９】
本発明の目的は、フォーカシングレンズ群がコンパクトでフォーカシングレンズ群移動時の像倍率変化の小さいズームレンズ系、ズームレンズ系を有する交換レンズ装置、及びカメラシステムを提供することである。
【課題を解決するための手段】
【００１０】
本発明に係るズームレンズ系は、複数のレンズ群と、レンズ群中に配置される開口絞りとを備える。複数のレンズ群には、開口絞りより物体側に配置され、正のパワーを有する正レンズ群と、正レンズ群の像側であって、開口絞りより物体側に配置され、全系で最も絶対値の大きい負のパワーを有するとともに、ズーミングに際して光軸に沿った方向に移動する負レンズ群と、負レンズ群と開口絞りとの間の光路中に配置され、フォーカシングに際して負レンズ群との間の間隔を変化させるように光軸に沿った方向に移動するフォーカシングレンズ群とが含まれる。更に、当該ズームレンズ系は、以下の条件を満足する。
０．０８＜｜ｆ1／ｆNW｜＜３．５０    ・・・（６）
（ただし、ｆT／ｆW＞３．０である）
ここで、
ｆ1：フォーカシングレンズ群の物体側に配置される正レンズ群の焦点距離、
ｆNW：フォーカシングレンズ群が負のパワーを有する場合、無限遠合焦状態でのフォーカシングレンズ群と負レンズ群と広角端における合成焦点距離、フォーカシングレンズ群が正のパワーを有する場合、負レンズ群の焦点距離、
ｆT：全系の望遠端での焦点距離、
ｆW：全系の広角端での焦点距離
である。
【００１１】
また、本発明に係る交換レンズ装置は、上記のズームレンズ系と、ズームレンズ系が形成する光学像を受光して、電気的な画像信号に変換する撮像センサを含むカメラ本体と接続されるカメラマウント部とを備える。
【００１２】
更に、本発明に係るカメラシステムは、上記のズームレンズ系を含む交換レンズ装置と、交換レンズ装置とカメラマウント部を介して着脱可能に接続され、ズームレンズ系が形成する光学像を受光して、電気的な画像信号に変換する撮像センサを含むカメラ本体とを備える。
【発明の効果】
【００１３】
本発明によれば、フォーカシングレンズ群がコンパクトでフォーカシングレンズ群移動時の像倍率変化の小さいズームレンズ系、ズームレンズ系を有する交換レンズ装置、及びカメラシステムを提供することができる。
【発明を実施するための最良の形態】
【００１４】
図１、５、９、１３、１７、２１、２５、２９、３３、３７、４１、４５、４９、５３、５７、６１、６５、６８、７１、７４、７７、８０は、いずれも無限遠合焦状態にあるズームレンズ系を表している。
【００１５】
各図において、（ａ）図は広角端（最短焦点距離状態：焦点距離ｆW）のレンズ構成、（ｂ）図は、中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。更に各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１６】
図１、５、９、１３、１７、２１、２５、２９、３３、３７、４１、４５、４９、５３、５７、６１、６５、６８、７１、７４、７７、８０において、特定の面に付されたアスタリスク＊は、該面が非球面であることを示している。また各図において、各レンズ群の符号に付された記号（＋）及び記号（−）は、各レンズ群のパワーの符号に対応する。更に各図において、最も右側に記載された直線は、像面Ｓの位置を表す。
【００１７】
（実施の形態１）
実施の形態１に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有するレンズ群Ｇ４Ａと、正のパワーを有するレンズ群Ｇ４Ｂとを備える。レンズ群Ｇ４Ａ及びＧ４Ｂは、第４レンズ群Ｇ４を構成する。
【００１８】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とは、互いに接合されている。
【００１９】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【００２０】
第３レンズ群Ｇ３は、像側に凸面を向けた負メニスカス形状の第６レンズ素子Ｌ６からなる。
【００２１】
レンズ群Ｇ４Ａは、両凸形状の第７レンズ素子Ｌ７からなる。第７レンズ素子Ｌ７の像側面は、非球面である。
【００２２】
レンズ群Ｇ４Ｂは、物体側から像側へと順に、両凸形状の第８レンズ素子Ｌ８と、像側に凸面を向けた負メニスカス形状の第９レンズ素子Ｌ９と、物体側に凸面を向けた負メニスカス形状の第１０レンズ素子Ｌ１０と、物体側に凸面を向けた正メニスカス形状の第１１レンズ素子Ｌ１１とからなる。第８レンズ素子Ｌ８と第９レンズ素子Ｌ９とは、互いに接合されている。
【００２３】
広角端から望遠端へのズーミング時には、第１レンズ群Ｇ１〜レンズ群Ｇ４Ｂは、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が減少し、第３レンズ群Ｇ３とレンズ群Ｇ４Ａとの間隔が減少するように、各レンズ群が光軸に沿って移動する。開口絞りＡは、レンズ群Ｇ４Ｂと共に物体側に移動する。
【００２４】
また、無限遠合焦状態から近接合焦状態へのフォーカシング時には、第３レンズ群Ｇ３が光軸に沿って物体側へと移動する。
【００２５】
更に、系全体に加わる振動に起因する像ぶれを補正するために、第３レンズ群Ｇ３が光軸と直交する方向に移動する。
【００２６】
（実施の形態２）
実施の形態２に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有するレンズ群Ｇ４Ａと、正のパワーを有するレンズ群Ｇ４Ｂとを備える。レンズ群Ｇ４Ａ及びＧ４Ｂは、第４レンズ群Ｇ４を構成する。
【００２７】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とは、接着層を介して接合されている。
【００２８】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【００２９】
第３レンズ群Ｇ３は、像側に凸面を向けた負メニスカス形状の第６レンズ素子Ｌ６からなる。
【００３０】
レンズ群Ｇ４Ａは、両凸形状の第７レンズ素子Ｌ７からなる。第７レンズ素子Ｌ７の像側面は、非球面である。
【００３１】
レンズ群Ｇ４Ｂは、物体側から像側へと順に、両凸形状の第８レンズ素子Ｌ８と、両凹形状の第９レンズ素子Ｌ９と、両凸形状の第１０レンズ素子Ｌ１０と、像側に凸面を向けた負メニスカス形状の第１１レンズ素子Ｌ１１と、物体側に凸面を向けた正メニスカス形状の第１２レンズ素子Ｌ１２とからなる。第８レンズ素子Ｌ８と第９レンズ素子Ｌ９とは、接着層を介して接合されている。
【００３２】
広角端から望遠端へのズーミング時には、第１レンズ群Ｇ１〜レンズ群Ｇ４Ｂは、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が増加し、第３レンズ群Ｇ３とレンズ群Ｇ４Ａとの間隔が減少するように、各レンズ群が光軸に沿って移動する。開口絞りＡは、レンズ群Ｇ４Ｂと共に物体側に移動する。
【００３３】
また、無限遠合焦状態から近接合焦状態へのフォーカシング時には、第３レンズ群Ｇ３が光軸に沿って物体側へと移動する。
【００３４】
更に、系全体に加わる振動に起因する像ぶれを補正するために、第３レンズ群Ｇ３が光軸と直交する方向に移動する。
【００３５】
（実施の形態３）
実施の形態３に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有するレンズ群Ｇ４Ａと、正のパワーを有するレンズ群Ｇ４Ｂとを備える。レンズ群Ｇ４Ａ及びＧ４Ｂは、第４レンズ群Ｇ４を構成する。
【００３６】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とは、接着層を介して接合されている。
【００３７】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【００３８】
第３レンズ群Ｇ３は、像側に凸面を向けた負メニスカス形状の第６レンズ素子Ｌ６からなる。
【００３９】
レンズ群Ｇ４Ａは、像側に凸面を向けた正メニスカス形状の第７レンズ素子Ｌ７からなる。
【００４０】
レンズ群Ｇ４Ｂは、物体側から像側へと順に、両凸形状の第８レンズ素子Ｌ８と、像側に凸面を向けた負メニスカス形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。第８レンズ素子Ｌ８と第９レンズ素子Ｌ９とは、接着層を介して接合されている。また、第１０レンズ素子Ｌ１０の物体側面は、非球面である。
【００４１】
広角端から望遠端へのズーミング時には、第１レンズ群Ｇ１〜レンズ群Ｇ４Ｂは、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔がほぼ変化せず、第３レンズ群Ｇ３とレンズ群Ｇ４Ａとの間隔が減少するように、各レンズ群が光軸に沿って移動する。開口絞りＡは、レンズ群Ｇ４Ｂと共に物体側に移動する。
【００４２】
また、無限遠合焦状態から近接合焦状態へのフォーカシング時には、第３レンズ群Ｇ３が光軸に沿って物体側へと移動する。
【００４３】
更に、系全体に加わる振動に起因する像ぶれを補正するために、第３レンズ群Ｇ３が光軸と直交する方向に移動する。
【００４４】
（実施の形態４）
実施の形態４に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有するレンズ群Ｇ４Ａと、正のパワーを有するレンズ群Ｇ４Ｂとを備える。レンズ群Ｇ４Ａ及びＧ４Ｂは、第４レンズ群Ｇ４を構成する。
【００４５】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とは、接着層を介して接合されている。
【００４６】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【００４７】
第３レンズ群Ｇ３は、像側に凸面を向けた負メニスカス形状の第６レンズ素子Ｌ６からなる。
【００４８】
レンズ群Ｇ４Ａは、像側に凸面を向けた正メニスカス形状の第７レンズ素子Ｌ７からなる。
【００４９】
レンズ群Ｇ４Ｂは、物体側から像側へと順に、両凸形状の第８レンズ素子Ｌ８と、像側に凸面を向けた負メニスカス形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。第８レンズ素子Ｌ８と第９レンズ素子Ｌ９とは、接着層を介して接合されている。また、第１０レンズ素子Ｌ１０と第１１レンズ素子Ｌ１１も、接着層を介して接合されている。更に、第１０レンズ素子Ｌ１０の物体側面は、非球面である。
【００５０】
広角端から望遠端へのズーミング時には、第１レンズ群Ｇ１〜レンズ群Ｇ４Ｂは、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔がほぼ変化せず、第３レンズ群Ｇ３とレンズ群Ｇ４Ａとの間隔が減少するように、各レンズ群が光軸に沿って移動する。開口絞りＡは、レンズ群Ｇ４Ｂと共に物体側に移動する。
【００５１】
また、無限遠合焦状態から近接合焦状態へのフォーカシング時には、第３レンズ群Ｇ３が光軸に沿って物体側へと移動する。
【００５２】
更に、系全体に加わる振動に起因する像ぶれを補正するために、レンズ群Ｇ４Ａが光軸と直交する方向に移動する。
【００５３】
（実施の形態５）
実施の形態５に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有するレンズ群Ｇ４Ａと、正のパワーを有するレンズ群Ｇ４Ｂとを備える。レンズ群Ｇ４Ａ及びＧ４Ｂは、第４レンズ群Ｇ４を構成する。
【００５４】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とは、接着層を介して接合されている。
【００５５】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【００５６】
第３レンズ群Ｇ３は、像側に凸面を向けた負メニスカス形状の第６レンズ素子Ｌ６からなる。
【００５７】
レンズ群Ｇ４Ａは、像側に凸面を向けた正メニスカス形状の第７レンズ素子Ｌ７からなる。
【００５８】
レンズ群Ｇ４Ｂは、物体側から像側へと順に、両凸形状の第８レンズ素子Ｌ８と、両凹形状の第９レンズ素子Ｌ９と、両凸形状の第１０レンズ素子Ｌ１０と、像側に凸面を向けた負メニスカス形状の第１１レンズ素子Ｌ１１と、両凸形状の第１２レンズ素子Ｌ１２とからなる。第８レンズ素子Ｌ８と第９レンズ素子Ｌ９とは、接着層を介して接合されている。また、第１０レンズ素子Ｌ１０と第１１レンズ素子Ｌ１１も、接着層を介して接合されている。更に、第１０レンズ素子Ｌ１０の物体側面は、非球面である。
【００５９】
広角端から望遠端へのズーミング時には、第１レンズ群Ｇ１〜レンズ群Ｇ４Ｂは、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が増加し、第３レンズ群Ｇ３とレンズ群Ｇ４Ａとの間隔が減少するように、各レンズ群が光軸に沿って移動する。開口絞りＡは、レンズ群Ｇ４Ｂと共に物体側に移動する。
【００６０】
また、無限遠合焦状態から近接合焦状態へのフォーカシング時には、第３レンズ群Ｇ３が光軸に沿って物体側へと移動する。
【００６１】
更に、系全体に加わる振動に起因する像ぶれを補正するために、レンズ群Ｇ４Ａが光軸と直交する方向に移動する。
【００６２】
（実施の形態６）
実施の形態６に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４とを備える。
【００６３】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とは、接着層を介して接合されている。
【００６４】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。第４レンズ素子Ｌ４の像側面は、非球面である。
【００６５】
第３レンズ群Ｇ３は、両凹形状の第６レンズ素子Ｌ６からなる。
【００６６】
第４レンズ群Ｇ４は、物体側から像側へと順に、両凸形状の第７レンズ素子Ｌ７と、両凸形状の第８レンズ素子Ｌ８と、両凹形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。第８レンズ素子Ｌ８と第９レンズ素子Ｌ９とは、接着層を介して接合されている。また、第１０レンズ素子Ｌ１０と第１１レンズ素子Ｌ１１も、接着層を介して接合されている。更に、第１０レンズ素子Ｌ１０の物体側面は、非球面である。
【００６７】
広角端から望遠端へのズーミング時には、第１レンズ群Ｇ１〜第４レンズ群Ｇ４は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が増加し、第３レンズ群Ｇ３と第４レンズ群Ｇ４との間隔が減少するように、各レンズ群が光軸に沿って移動する。開口絞りＡは、第４レンズ群Ｇ４と共に物体側に移動する。
【００６８】
また、無限遠合焦状態から近接合焦状態へのフォーカシング時には、第３レンズ群Ｇ３が光軸に沿って物体側へと移動する。
【００６９】
更に、系全体に加わる振動に起因する像ぶれを補正するために、第３レンズ群Ｇ３が光軸と直交する方向に移動する。
【００７０】
（実施の形態７）
実施の形態７に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、正のパワーを有するレンズ群Ｇ５Ａと、負のパワーを有するレンズ群Ｇ５Ｂとを備える。レンズ群Ｇ５Ａ及びＧ５Ｂは、第５レンズ群を構成する。
【００７１】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【００７２】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。
【００７３】
第３レンズ群Ｇ３は、物体側から像側へと順に、両凹形状の第７レンズ素子Ｌ７と、物体側に凸面を向けた正メニスカス形状の第８レンズ素子Ｌ８とからなる。
【００７４】
第４レンズ群Ｇ４は、物体側から像側へと順に、両凸形状の第９レンズ素子Ｌ９と、物体側に凸面を向けた正メニスカス形状の第１０レンズ素子Ｌ１０と、物体側に凸面を向けた負メニスカス形状の第１１レンズ素子Ｌ１１とからなる。第１０レンズ素子Ｌ１０の物体側面は、非球面である。
【００７５】
レンズ群Ｇ５Ａは、物体側から像側へと順に、物体側に凸面を向けた負メニスカス形状の第１２レンズ素子Ｌ１２と、両凸形状の第１３レンズ素子Ｌ１３とからなる。第１２レンズ素子Ｌ１２と第１３レンズ素子Ｌ１３とは、互いに接合されている。第１３レンズ素子Ｌ１３の像側面は、非球面である。
【００７６】
レンズ群Ｇ５Ｂは、物体側から像側へと順に、両凹形状の第１４レンズ素子Ｌ１４と、両凸形状の第１５レンズ素子Ｌ１５と、像側に凸面を向けた負メニスカス形状の第１６レンズ素子Ｌ１６とからなる。第１５レンズ素子Ｌ１５の物体側面は、非球面である。
【００７７】
広角端から望遠端へのズーミング時には、第１レンズ群Ｇ１〜レンズ群Ｇ５Ｂは、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が増加し、第３レンズ群Ｇ３と第４レンズ群Ｇ４との間隔が減少し、第４レンズ群Ｇ４とレンズ群Ｇ５Ａの間隔が減少するように、各レンズ群が光軸に沿って移動する。開口絞りＡは、第４レンズ群Ｇ４と共に物体側に移動する。
【００７８】
また、無限遠合焦状態から近接合焦状態へのフォーカシング時には、第３レンズ群Ｇ３が光軸に沿って物体側へと移動する。
【００７９】
更に、系全体に加わる振動に起因する像ぶれを補正するために、レンズ群Ｇ５Ａが光軸と直交する方向に移動する。
【００８０】
（実施の形態８）
実施の形態８に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有するレンズ群Ｇ４Ａと、負のパワーを有するレンズ群Ｇ４Ｂと、正のパワーを有する第５レンズ群Ｇ５とを備える。レンズ群Ｇ４Ａ及びＧ４Ｂは、第４レンズ群Ｇ４を構成する。
【００８１】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【００８２】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。
【００８３】
第３レンズ群Ｇ３は、像側に凸面を向けた負メニスカス形状の第７レンズ素子Ｌ７からなる。
【００８４】
レンズ群Ｇ４Ａは、物体側から像側へと順に、両凸形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。第９レンズ素子Ｌ９と第１０レンズ素子Ｌ１０とは、接着層を介して接合されている。また、第８レンズ素子Ｌ８の像側面は、非球面である。
【００８５】
レンズ群Ｇ４Ｂは、物体側から像側へと順に、像側に凸面を向けた正メニスカス形状の第１２レンズ素子Ｌ１２と、両凹形状の第１３レンズ素子Ｌ１３とからなる。第１２レンズ素子Ｌ１２と第１３レンズ素子Ｌ１３とは、互いに接合されている。
【００８６】
第５レンズ群Ｇ５は、物体側から像側へと順に、像側に凸面を向けた正メニスカス形状の第１４レンズ素子Ｌ１４と、像側に凸面を向けた負メニスカス形状の第１５レンズ素子Ｌ１５と、両凸形状の第１６レンズ素子Ｌ１６と、像側に凸面を向けた負メニスカス形状の第１７レンズ素子Ｌ１７とからなる。第１６レンズ素子Ｌ１６と第１７レンズ素子Ｌ１７とは、接着層を介して接合されている。また、第１４レンズ素子Ｌ１４の像側面は、非球面である。
【００８７】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が増加し、第３レンズ群Ｇ３とレンズ群Ｇ４Ａとの間隔が減少し、レンズ群Ｇ４Ｂと第５レンズ群Ｇ５との間隔が増加するように、各レンズ群が光軸に沿って移動する。開口絞りＡは、レンズ群Ｇ４Ａと共に物体側に移動する。
【００８８】
また、無限遠合焦状態から近接合焦状態へのフォーカシング時には、第３レンズ群Ｇ３が光軸に沿って物体側へと移動する。
【００８９】
更に、系全体に加わる振動に起因する像ぶれを補正するために、レンズ群Ｇ４Ｂが光軸と直交する方向に移動する。
【００９０】
（実施の形態９）
実施の形態９に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有するレンズ群Ｇ４Ａと、負のパワーを有するレンズ群Ｇ４Ｂと、正のパワーを有する第５レンズ群Ｇ５とを備える。レンズ群Ｇ４Ａ及びＧ４Ｂは、第４レンズ群Ｇ４を構成する。
【００９１】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とは、接着層を介して接合されている。
【００９２】
第２レンズ群Ｇ２は、物体側から像側へと順に、物体側に凸面を向けた負メニスカス形状の第３レンズ素子Ｌ３と、物体側に凸面を向けた負メニスカス形状の第４レンズ素子Ｌ４と、物体側に凸面を向けた正メニスカス形状の第５レンズ素子Ｌ５とからなる。
【００９３】
第３レンズ群Ｇ３は、像側に凸面を向けた負メニスカス形状の第６レンズ素子Ｌ６からなる。
【００９４】
レンズ群Ｇ４Ａは、物体側から像側へと順に、両凸形状の第７レンズ素子Ｌ７と、像側に凸面を向けた負メニスカス形状の第８レンズ素子Ｌ８とからなる。第７レンズ素子Ｌ７と第８レンズ素子Ｌ８とは、接着層を介して接合されている。
【００９５】
レンズ群Ｇ４Ｂは、像側に凸面を向けた負メニスカス形状の第９レンズ素子Ｌ９からなる。
【００９６】
第５レンズ群Ｇ５は、物体側から像側へと順に、両凸形状の第１０レンズ素子Ｌ１０と、両凸形状の第１１レンズ素子Ｌ１１と、物体側に凸面を向けた負メニスカス形状の第１２レンズ素子Ｌ１２とからなる。第１０レンズ素子Ｌ１０の物体側面は、非球面である。
【００９７】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔がほぼ変化せず、第３レンズ群Ｇ３とレンズ群Ｇ４Ａとの間隔が減少し、レンズ群Ｇ４Ｂと第５レンズ群Ｇ５との間隔が減少するように、各レンズ群が光軸に沿って移動する。開口絞りＡは、レンズ群Ｇ４Ａと共に物体側に移動する。
【００９８】
また、無限遠合焦状態から近接合焦状態へのフォーカシング時には、第３レンズ群Ｇ３が光軸に沿って物体側へと移動する。
【００９９】
更に、系全体に加わる振動に起因する像ぶれを補正するために、レンズ群Ｇ４Ｂが光軸と直交する方向に移動する。
【０１００】
（実施の形態１０）
実施の形態１０に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有するレンズ群Ｇ４Ａと、負のパワーを有するレンズ群Ｇ４Ｂと、正のパワーを有するレンズ群Ｇ４Ｃとを備える。レンズ群Ｇ４Ａ〜Ｇ４Ｃは、第４レンズ群Ｇ４を構成する。
【０１０１】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とは、接着層を介して接合されている。
【０１０２】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【０１０３】
第３レンズ群Ｇ３は、像側に凸面を向けた負メニスカス形状の第６レンズ素子Ｌ６からなる。
【０１０４】
レンズ群Ｇ４Ａは、物体側から像側へと順に、像側に凸面を向けた正メニスカス形状の第７レンズ素子Ｌ７と、両凸形状の第８レンズ素子Ｌ８と、両凹形状の第９レンズ素子Ｌ９とからなる。第８レンズ素子Ｌ８と第９レンズ素子Ｌ９とは、接着層を介して接合されている。
【０１０５】
レンズ群Ｇ４Ｂは、物体側に凸面を向けた負メニスカス形状の第１０レンズ素子Ｌ１０からなる。
【０１０６】
レンズ群Ｇ４Ｃは、両凸形状の第１１レンズ素子Ｌ１１と、像側に凸面を向けた負メニスカス形状の第１２レンズ素子Ｌ１２とからなる。第１１レンズ素子Ｌ１１と第１２レンズ素子Ｌ１２とは、接着層を介して接合されている。また、第１１レンズ素子Ｌ１１の物体側面は、非球面である。
【０１０７】
広角端から望遠端へのズーミング時には、第１レンズ群Ｇ１〜レンズ群Ｇ４Ｃは、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔がほぼ変化せず、第３レンズ群Ｇ３とレンズ群Ｇ４Ａとの間隔が減少するように、各レンズ群が光軸に沿って移動する。開口絞りＡは、レンズ群Ｇ４Ａと共に物体側に移動する。
【０１０８】
また、無限遠合焦状態から近接合焦状態へのフォーカシング時には、第３レンズ群Ｇ３が光軸に沿って物体側へと移動する。
【０１０９】
更に、系全体に加わる振動に起因する像ぶれを補正するために、レンズ群Ｇ４Ｂが光軸と直交する方向に移動する。
【０１１０】
（実施の形態１１）
実施の形態１１に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有するレンズ群Ｇ４Ａと、負のパワーを有するレンズ群Ｇ４Ｂと、正のパワーを有するレンズ群Ｇ４Ｃとを備える。レンズ群Ｇ４Ａ〜Ｇ４Ｃは、第４レンズ群Ｇ４を構成する。
【０１１１】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とは、接着層を介して接合されている。
【０１１２】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【０１１３】
第３レンズ群Ｇ３は、像側に凸面を向けた負メニスカス形状の第６レンズ素子Ｌ６からなる。
【０１１４】
レンズ群Ｇ４Ａは、物体側から像側へと順に、像側に凸面を向けた正メニスカス形状の第７レンズ素子Ｌ７と、両凸形状の第８レンズ素子Ｌ８と、両凹形状の第９レンズ素子Ｌ９とからなる。第８レンズ素子Ｌ８と第９レンズ素子Ｌ９とは、接着層を介して接合されている。
【０１１５】
レンズ群Ｇ４Ｂは、物体側に凸面を向けた負メニスカス形状の第１０レンズ素子Ｌ１０からなる。
【０１１６】
レンズ群Ｇ４Ｃは、物体側から像側へと順に、両凸形状の第１１レンズ素子Ｌ１１と、像側に凸面を向けた負メニスカス形状の第１２レンズ素子Ｌ１２とからなる。第１１レンズ素子Ｌ１１と第１２レンズ素子Ｌ１２とは、接着層を介して接合されている。また、第１１レンズ素子Ｌ１１の物体側面は、非球面である。
【０１１７】
広角端から望遠端へのズーミング時には、第１レンズ群Ｇ１〜レンズ群Ｇ４Ｃは、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔がほぼ変化せず、第３レンズ群Ｇ３とレンズ群Ｇ４Ａとの間隔が減少するように、各レンズ群が光軸に沿って移動する。開口絞りＡは、レンズ群Ｇ４Ａと共に物体側に移動する。
【０１１８】
また、無限遠合焦状態から近接合焦状態へのフォーカシング時には、第３レンズ群Ｇ３が光軸に沿って物体側へと移動する。
【０１１９】
更に、系全体に加わる振動に起因する像ぶれを補正するために、レンズ群Ｇ４Ｂが光軸と直交する方向に移動する。
【０１２０】
（実施の形態１２）
実施の形態１２に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、正のパワーを有する第５レンズ群Ｇ５とを備える。
【０１２１】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【０１２２】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。第４レンズ素子Ｌ４の物体側面は、非球面である。
【０１２３】
第３レンズ群Ｇ３は、物体側から像側へと順に、物体側に凸面を向けた負メニスカス形状の第８レンズ素子Ｌ８と、両凸形状の第９レンズ素子Ｌ９とからなる。第８レンズ素子Ｌ８と第９レンズ素子Ｌ９とは、互いに接合されている。また、第９レンズ素子Ｌ９の像側面は、非球面である。
【０１２４】
第４レンズ群Ｇ４は、物体側から像側へと順に、両凸形状の第１０レンズ素子Ｌ１０と、両凸形状の第１１レンズ素子Ｌ１１と、両凹形状の第１２レンズ素子Ｌ１２とからなる。第１１レンズ素子Ｌ１１と第１２レンズ素子Ｌ１２とは、互いに接合されている。
【０１２５】
第５レンズ群Ｇ５は、物体側から像側へと順に、両凸形状の第１３レンズ素子Ｌ１３と、両凹形状の第１４レンズ素子Ｌ１４と、両凸形状の第１５レンズ素子Ｌ１５と、像側に凸面を向けた負メニスカス形状の第１６レンズ素子Ｌ１６とからなる。第１５レンズ素子Ｌ１５と第１６レンズ素子Ｌ１６とは、互いに接合されている。また、第１４レンズ素子Ｌ１４の物体側面は、非球面である。
【０１２６】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が増加し、第４レンズ群Ｇ４と第５レンズ群Ｇ５との間隔が減少するように、各レンズ群が光軸に沿って移動する。開口絞りＡは、第４レンズ群Ｇ４と共に物体側に移動する。
【０１２７】
また、無限遠合焦状態から近接合焦状態へのフォーカシング時には、第３レンズ群Ｇ３が光軸に沿って像側へと移動する。
【０１２８】
更に、系全体に加わる振動に起因する像ぶれを補正するために、第４レンズ群Ｇ４が光軸と直交する方向に移動する。
【０１２９】
（実施の形態１３）
実施の形態１３に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有するレンズ群Ｇ４Ａと、負のパワーを有するレンズ群Ｇ４Ｂと、正のパワーを有するレンズ群Ｇ５とを備える。レンズ群Ｇ４Ａ及びＧ４Ｂは、第４レンズ群Ｇ４を構成する。
【０１３０】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、接着層を介して接合されている。
【０１３１】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、物体側に凸面を向けた正メニスカス形状の第７レンズ素子Ｌ７とからなる。第５レンズ素子Ｌ５と第６レンズ素子Ｌ６とは互いに接合されている。また、第７レンズ素子Ｌ７の物体側面は、非球面である。
【０１３２】
第３レンズ群Ｇ３は、両凸形状の第８レンズ素子Ｌ８からなる。第８レンズ素子Ｌ８の両面が非球面である。
【０１３３】
レンズ群Ｇ４Ａは、物体側から像側へと順に、両凸形状の第９レンズ素子Ｌ９と、両凹形状の第１０レンズ素子Ｌ１０とからなる。第９レンズ素子Ｌ９と第１０レンズ素子Ｌ１０とは、接着層を介して接合されている。
【０１３４】
レンズ群Ｇ４Ｂは、両凹形状の第１１レンズ素子Ｌ１１からなる。
【０１３５】
第５レンズ群Ｇ５は、物体側から像側へと順に、両凸形状の第１２レンズ素子Ｌ１２と、像側に凸面を向けた正メニスカス形状の第１３レンズ素子Ｌ１３と、像側に凸面を向けた負メニスカス形状の第１４レンズ素子Ｌ１４と、両凸形状の第１５レンズ素子Ｌ１５とからなる。第１３レンズ素子Ｌ１３と第１４レンズ素子Ｌ１４とは、接着層を介して接合されている。また、第１２レンズ素子Ｌ１２の両面が非球面である。
【０１３６】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が減少し、第３レンズ群Ｇ３とレンズ群Ｇ４Ａとの間隔がほぼ変化せず、レンズ群Ｇ４Ｂと第５レンズ群Ｇ５との間隔が減少するように、各レンズ群が光軸に沿って移動する。開口絞りＡは、レンズ群Ｇ４Ａと共に物体側に移動する。
【０１３７】
また、無限遠合焦状態から近接合焦状態へのフォーカシング時には、第３レンズ群Ｇ３が光軸に沿って像側へと移動する。
【０１３８】
更に、系全体に加わる振動に起因する像ぶれを補正するために、レンズ群Ｇ４Ｂが光軸と直交する方向に移動する。
【０１３９】
（実施の形態１４）
実施の形態１４に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有するレンズ群Ｇ４Ａと、負のパワーを有するレンズ群Ｇ４Ｂと、正のパワーを有するレンズ群Ｇ５とを備える。レンズ群Ｇ４Ａ及びＧ４Ｂは、第４レンズ群Ｇ４を構成する。
【０１４０】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、接着層を介して接合されている。
【０１４１】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、物体側に凸面を向けた正メニスカス形状の第７レンズ素子Ｌ７とからなる。第５レンズ素子Ｌ５と第６レンズ素子Ｌ６とは、接着層を介して接合されている。また、第７レンズ素子Ｌ７の物体側面は、非球面である。
【０１４２】
第３レンズ群Ｇ３は、両凸形状の第８レンズ素子Ｌ８からなる。第８レンズ素子Ｌ８の両面が非球面である。
【０１４３】
レンズ群Ｇ４Ａは、物体側から像側へと順に、物体側に凸面を向けた正メニスカス形状の第９レンズ素子Ｌ９と、物体側に凸面を向けた負メニスカス形状の第１０レンズ素子Ｌ１０とからなる。第９レンズ素子Ｌ９と第１０レンズ素子Ｌ１０とは、接着層を介して接合されている。
【０１４４】
レンズ群Ｇ４Ｂは、物体側に凹面を向けた平凹形状の第１１レンズ素子Ｌ１１からなる。
【０１４５】
第５レンズ群Ｇ５は、物体側から像側へと順に、両凸形状の第１２レンズ素子Ｌ１２と、両凸形状の第１３レンズ素子Ｌ１３と、両凹形状の第１４レンズ素子Ｌ１４と、両凸形状の第１５レンズ素子Ｌ１５とからなる。第１３レンズ素子Ｌ１３と第１４レンズ素子Ｌ１４とは、接着層を介して接合されている。また、第１２レンズ素子Ｌ１２の両面が非球面である。
【０１４６】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が減少し、第３レンズ群Ｇ３とレンズ群Ｇ４Ａとの間隔が増加し、レンズ群Ｇ４Ｂと第５レンズ群Ｇ５との間隔が減少するように、各レンズ群が光軸に沿って移動する。開口絞りＡは、レンズ群Ｇ４Ａと共に物体側に移動する。
【０１４７】
また、無限遠合焦状態から近接合焦状態へのフォーカシング時には、第３レンズ群Ｇ３が光軸に沿って像側へと移動する。
【０１４８】
更に、系全体に加わる振動に起因する像ぶれを補正するために、レンズ群Ｇ４Ｂが光軸と直交する方向に移動する。
【０１４９】
（実施の形態１５）
実施の形態１５に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【０１５０】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、接着層を介して接合されている。
【０１５１】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、物体側に凸面を向けた正メニスカス形状の第７レンズ素子Ｌ７とからなる。第５レンズ素子Ｌ５と第６レンズ素子Ｌ６とは、接着層を介して接合されている。また、第７レンズ素子Ｌ７の物体側面は、非球面である。
【０１５２】
第３レンズ群Ｇ３は、両凸形状の第８レンズ素子Ｌ８からなる。第８レンズ素子Ｌ８の両面が非球面である。
【０１５３】
第４レンズ群Ｇ４は、物体側から像側へと順に、両凸形状の第９レンズ素子Ｌ９と、両凹形状の第１０レンズ素子Ｌ１０とからなる。第９レンズ素子Ｌ９と第１０レンズ素子Ｌ１０とは、接着層を介して接合されている。
【０１５４】
第５レンズ群Ｇ５は、物体側から像側へと順に、両凸形状の第１１レンズ素子Ｌ１１と、像側に凸面を向けた正メニスカス形状の第１２レンズ素子Ｌ１２と、両凹形状の第１３レンズ素子Ｌ１３と、両凸形状の第１４レンズ素子Ｌ１４とからなる。第１２レンズ素子Ｌ１２と第１３レンズ素子Ｌ１３とは、接着層を介して接合されている。また、第１１レンズ素子Ｌ１１の両面が非球面である。
【０１５５】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が増加し、第４レンズ群Ｇ４と第５レンズ群Ｇ５との間隔が減少するように、各レンズ群が光軸に沿って移動する。開口絞りＡは、第４レンズ群Ｇ４と共に物体側に移動する。
【０１５６】
また、無限遠合焦状態から近接合焦状態へのフォーカシング時には、第３レンズ群Ｇ３が光軸に沿って像側へと移動する。
【０１５７】
更に、系全体に加わる振動に起因する像ぶれを補正するために、第４レンズ群Ｇ４が光軸と直交する方向に移動する。
【０１５８】
（実施の形態１６）
実施の形態１６に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【０１５９】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【０１６０】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、物体側に凸面を向けた正メニスカス形状の第７レンズ素子Ｌ７とからなる。第５レンズ素子Ｌ５と第６レンズ素子Ｌ６とは、接着層を介して接合されている。また、第７レンズ素子Ｌ７の物体側面は、非球面である。
【０１６１】
第３レンズ群Ｇ３は、両凸形状の第８レンズ素子Ｌ８からなる。第８レンズ素子Ｌ８の両面が非球面である。
【０１６２】
第４レンズ群Ｇ４は、物体側から像側へと順に、両凸形状の第９レンズ素子Ｌ９と、両凹形状の第１０レンズ素子Ｌ１０とからなる。第９レンズ素子Ｌ９と第１０レンズ素子Ｌ１０とは、接着層を介して接合されている。
【０１６３】
第５レンズ群Ｇ５は、物体側から像側へと順に、両凸形状の第１１レンズ素子Ｌ１１と、像側に凸面を向けた正メニスカス形状の第１２レンズ素子Ｌ１２と、両凹形状の第１３レンズ素子Ｌ１３と、両凸形状の第１４レンズ素子Ｌ１４とからなる。第１２レンズ素子Ｌ１２と第１３レンズ素子Ｌ１３とは、接着層を介して接合されている。また、第１１レンズ素子Ｌ１１の両面が非球面である。
【０１６４】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が増加し、第４レンズ群Ｇ４と第５レンズ群Ｇ５との間隔が減少するように、各レンズ群が光軸に沿って移動する。開口絞りＡは、第４レンズ群Ｇ４と共に物体側に移動する。
【０１６５】
また、無限遠合焦状態から近接合焦状態へのフォーカシング時には、第３レンズ群Ｇ３が光軸に沿って像側へと移動する。
【０１６６】
更に、系全体に加わる振動に起因する像ぶれを補正するために、第４レンズ群Ｇ４が光軸と直交する方向に移動する。
【０１６７】
（実施の形態１７）
実施の形態１７に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【０１６８】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【０１６９】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。第５レンズ素子Ｌ５の物体側面は、非球面である。
【０１７０】
第３レンズ群Ｇ３は、両凸形状の第７レンズ素子Ｌ７からなる。第７レンズ素子Ｌ７の両面が非球面である。
【０１７１】
第４レンズ群Ｇ４は、物体側から像側へと順に、物体側に凸面を向けた正メニスカス形状の第８レンズ素子Ｌ８と、物体側に凸面を向けた負メニスカス形状の第９レンズ素子Ｌ９とからなる。第８レンズ素子Ｌ８と第９レンズ素子Ｌ９とは、互いに接合されている。
【０１７２】
第５レンズ群Ｇ５は、物体側から像側へと順に、両凸形状の第１０レンズ素子Ｌ１０と、両凹形状の第１１レンズ素子Ｌ１１と、両凸形状の第１２レンズ素子Ｌ１２とからなる。第１１レンズ素子Ｌ１１の物体側面は、非球面である。
【０１７３】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が増加し、第４レンズ群Ｇ４と第５レンズ群Ｇ５との間隔が減少するように、各レンズ群が光軸に沿って移動する。開口絞りＡは、第４レンズ群Ｇ４と共に物体側に移動する。
【０１７４】
また、無限遠合焦状態から近接合焦状態へのフォーカシング時には、第３レンズ群Ｇ３が光軸に沿って像側へと移動する。
【０１７５】
（実施の形態１８）
実施の形態１８に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【０１７６】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【０１７７】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。
【０１７８】
第３レンズ群Ｇ３は、両凸形状の第７レンズ素子Ｌ７からなる。第７レンズ素子Ｌ７の両面が非球面である。
【０１７９】
第４レンズ群Ｇ４は、物体側から像側へと順に、両凸形状の第８レンズ素子Ｌ８と、両凹形状の第９レンズ素子Ｌ９とからなる。第８レンズ素子Ｌ８と第９レンズ素子Ｌ９とは、互いに接合されている。また、第８レンズ素子Ｌ８の物体側面は、非球面である。
【０１８０】
第５レンズ群Ｇ５は、物体側から像側へと順に、両凸形状の第１０レンズ素子Ｌ１０と、両凹形状の第１１レンズ素子Ｌ１１と、両凸形状の第１２レンズ素子Ｌ１２と、物体側に凹面を向けた平凹形状の第１３レンズ素子Ｌ１３とからなる。第１２レンズ素子Ｌ１２と第１３レンズ素子Ｌ１３とは、互いに接合されている。また、第１１レンズ素子Ｌ１１の物体側面は、非球面である。
【０１８１】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が増加し、第４レンズ群Ｇ４と第５レンズ群Ｇ５との間隔が減少するように、各レンズ群が光軸に沿って移動する。開口絞りＡは、第４レンズ群Ｇ４と共に物体側に移動する。
【０１８２】
また、無限遠合焦状態から近接合焦状態へのフォーカシング時には、第３レンズ群Ｇ３が光軸に沿って像側へと移動する。
【０１８３】
（実施の形態１９）
実施の形態１９に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【０１８４】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、接着層を介して接合されている。
【０１８５】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。第５レンズ素子Ｌ５と第６レンズ素子Ｌ６とは、接着層を介して接合されている。また、第７レンズ素子Ｌ７の物体側面は、非球面である。
【０１８６】
第３レンズ群Ｇ３は、両凸形状の第８レンズ素子Ｌ８からなる。第８レンズ素子Ｌ８の像側面は、非球面である。
【０１８７】
第４レンズ群Ｇ４は、物体側から像側へと順に、物体側に凸面を向けた正メニスカス形状の第９レンズ素子Ｌ９と、物体側に凸面を向けた負メニスカス形状の第１０レンズ素子Ｌ１０とからなる。第９レンズ素子Ｌ９と第１０レンズ素子Ｌ１０とは、接着層を介して接合されている。
【０１８８】
第５レンズ群Ｇ５は、物体側から像側へと順に、両凸形状の第１１レンズ素子Ｌ１１と、物体側に凸面を向けた負メニスカス形状の第１２レンズ素子Ｌ１２と、両凸形状の第１３レンズ素子Ｌ１３と、像側に凸面を向けた負メニスカス形状の第１４レンズ素子Ｌ１４
と、両凸形状の第１５レンズ素子Ｌ１５とからなる。第１３レンズ素子Ｌ１３と第１４レンズ素子Ｌ１４とは、接着層を介して接合されている。また、第１１レンズ素子Ｌ１１の物体側面は、非球面である。
【０１８９】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔がほぼ変化せず、第４レンズ群Ｇ４と第５レンズ群Ｇ５との間隔が減少するように、各レンズ群が光軸に沿って移動する。開口絞りＡは、第４レンズ群Ｇ４と共に物体側に移動する。
【０１９０】
また、無限遠合焦状態から近接合焦状態へのフォーカシング時には、第３レンズ群Ｇ３が光軸に沿って像側へと移動する。
【０１９１】
（実施の形態２０）
実施の形態２０に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【０１９２】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、接着層を介して接合されている。
【０１９３】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。第５レンズ素子Ｌ５と第６レンズ素子Ｌ６とは、接着層を介して接合されている。また、第７レンズ素子Ｌ７の物体側面は、非球面である。
【０１９４】
第３レンズ群Ｇ３は、両凸形状の第８レンズ素子Ｌ８からなる。第８レンズ素子Ｌ８の像側面は、非球面である。
【０１９５】
第４レンズ群Ｇ４は、物体側から像側へと順に、物体側に凸面を向けた正メニスカス形状の第９レンズ素子Ｌ９と、物体側に凸面を向けた負メニスカス形状の第１０レンズ素子Ｌ１０とからなる。第９レンズ素子Ｌ９と第１０レンズ素子Ｌ１０とは、接着層を介して接合されている。
【０１９６】
第５レンズ群Ｇ５は、物体側から像側へと順に、両凸形状の第１１レンズ素子Ｌ１１と、物体側に凸面を向けた負メニスカス形状の第１２レンズ素子Ｌ１２と、両凸形状の第１３レンズ素子Ｌ１３と、像側に凸面を向けた負メニスカス形状の第１４レンズ素子Ｌ１４と、両凸形状の第１５レンズ素子Ｌ１５とからなる。第１３レンズ素子Ｌ１３と第１４レンズ素子Ｌ１４とは、接着層を介して接合されている。また、第１１レンズ素子Ｌ１１の物体側面は、非球面である。
【０１９７】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔がほぼ変化せず、第４レンズ群Ｇ４と第５レンズ群Ｇ５との間隔が減少するように、各レンズ群が光軸に沿って移動する。開口絞りＡは、第４レンズ群Ｇ４と共に物体側に移動する。
【０１９８】
また、無限遠合焦状態から近接合焦状態へのフォーカシング時には、第３レンズ群Ｇ３が光軸に沿って像側へと移動する。
【０１９９】
（実施の形態２１）
実施の形態２１に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、正のパワーを有する第５レンズ群Ｇ５とを備える。
【０２００】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、接着層を介して接合されている。
【０２０１】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。
【０２０２】
第３レンズ群Ｇ３は、両凸形状の第８レンズ素子Ｌ８からなる。第８レンズ素子Ｌ８の両面が非球面である。
【０２０３】
第４レンズ群Ｇ４は、物体側から像側へと順に、物体側に凸面を向けた負メニスカス形状の第９レンズ素子Ｌ９と、物体側に凸面を向けた正メニスカス形状の第１０レンズ素子Ｌ１０とからなる。第９レンズ素子Ｌ９と第１０レンズ素子Ｌ１０とは、接着層を介して接合されている。
【０２０４】
第５レンズ群Ｇ５は、物体側から像側へと順に、両凸形状の第１１レンズ素子Ｌ１１と、物体側に凸面を向けた負メニスカス形状の第１２レンズ素子Ｌ１２と、両凸形状の第１３レンズ素子Ｌ１３と、両凹形状の第１４レンズ素子Ｌ１４と、両凸形状の第１５レンズ素子Ｌ１５とからなる。第１２レンズ素子Ｌ１２と、第１３レンズ素子Ｌ１３と、第１４レンズ素子Ｌ１４とは、接着層を介して接合されている。また、第１１レンズ素子Ｌ１１の物体側面は、非球面である。
【０２０５】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が増加し、第４レンズ群Ｇ４と第５レンズ群Ｇ５との間隔が減少するように、各レンズ群が光軸に沿って移動する。開口絞りＡは、第４レンズ群Ｇ４と共に物体側に移動する。
【０２０６】
また、無限遠合焦状態から近接合焦状態へのフォーカシング時には、第３レンズ群Ｇ３が光軸に沿って像側へと移動する。
【０２０７】
（実施の形態２２）
実施の形態２２に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【０２０８】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。第１レンズ素子Ｌ１と第２レンズ素子Ｌ２とは、互いに接合されている。
【０２０９】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。第５レンズ素子Ｌ５の物体側面は、非球面である。
【０２１０】
第３レンズ群Ｇ３は、両凸形状の第７レンズ素子Ｌ７からなる。第７レンズ素子Ｌ７の両面が非球面である。
【０２１１】
第４レンズ群Ｇ４は、物体側から像側へと順に、両凸形状の第８レンズ素子Ｌ８と、両凹形状の第９レンズ素子Ｌ９とからなる。第８レンズ素子Ｌ８と第９レンズ素子Ｌ９とは、互いに接合されている。
【０２１２】
第５レンズ群Ｇ５は、物体側から像側へと順に、両凸形状の第１０レンズ素子Ｌ１０と、両凹形状の第１１レンズ素子Ｌ１１と、両凸形状の第１２レンズ素子Ｌ１２とからなる。第１１レンズ素子Ｌ１１の物体側面は、非球面である。
【０２１３】
広角端から望遠端へのズーミング時には、第１レンズ群Ｇ１〜第５レンズ群Ｇ５は、それぞれ物体側へと移動する。より詳細には、広角端から望遠端へのズーミングの際に、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が増加し、第４レンズ群Ｇ４と第５レンズ群Ｇ５との間隔が減少するように、各レンズ群が光軸に沿って移動する。開口絞りＡは、第４レンズ群Ｇ４と共に物体側に移動する。
【０２１４】
また、無限遠合焦状態から近接合焦状態へのフォーカシング時には、第３レンズ群Ｇ３が光軸に沿って像側へと移動する。
【０２１５】
上記の各実施の形態に係るズームレンズ系は、いずれも開口絞りより物体側に配置され、正のパワーを有する正レンズ群と、当該正レンズ群の像側であって開口絞りより物体側の位置に配置され、全系で最も絶対値の大きい負のパワーを有すると共にズーミング時に光軸に沿った方向に移動する負レンズ群と、当該負レンズ群と開口絞りとの間の光路注に配置され、フォーカシング時に負レンズ群との間隔を変化させるように光軸に沿って移動するフォーカシングレンズ群とを備えている。このように、フォーカシングレンズ群を配置することにより、フォーカシングの際に発生する像倍率変化を小さくすることが可能になる。
【０２１６】
以下、各実施の形態に係るズームレンズ系が満足すべき条件を説明する。
【０２１７】
各実施の形態に係るズームレンズ系において、上記のように負レンズ群がズーミングに際して変化する間隔を介して正のパワーを有するレンズ群の像側に配置されている場合、ズームレンズ系は、以下の条件を満足する。
３．２０＜｜ｆ1／ｆNW｜＜８．５０    ・・・（６）
（ただし、ｆT／ｆW＞３．０である）
ここで、
ｆ1：フォーカシングレンズ群の物体側に配置される正レンズ群の焦点距離、
ｆNW：フォーカシングレンズ群が負のパワーを有する場合、無限遠合焦状態でのフォーカシングレンズ群と負レンズ群と広角端における合成焦点距離、フォーカシングレンズ群が正のパワーを有する場合、負レンズ群の焦点距離、
ｆT：全系の望遠端での焦点距離、
ｆW：全系の広角端での焦点距離、
である。
【０２１８】
条件（６）は、フォーカシングレンズ群の物体側に配置される正レンズ群の焦点距離を規定する。条件（６）の上限を超えると、ズーミングの際に発生する収差変動が大きくなるともに、軸外収差、特に歪曲収差の補正が困難になり、好ましくない。逆に、条件（６）の下限を下回ると、ズーミングの際に発生する収差変動が大きくなるともに、近接物体へのフォーカシング時の性能が悪化し、好ましくない。
【０２１９】
また、上記の条件（６）を満足することに加えて、各実施の形態に係るズームレンズ系は、以下の条件を更に満足することが好ましい。以下では、複数の条件が規定されているが、適合する条件をできるだけ多く満足するようにズームレンズ系を構成することが最も望ましい。しかしながら、個別の条件を満足することにより、それぞれ対応する効果を奏するズームレンズ系を得ることも可能である。
【０２２０】
各実施の形態に係るズームレンズ系は、以下の条件を満足することが望ましい。
１．２＜｜ｆF／ｆW｜＜６．０    ・・・（１）
（ただし、ｆT／ｆW＞３．０である）
ｆF：フォーカシングレンズ群の焦点距離、
ｆT：全系の望遠端での焦点距離、
ｆW：全系の広角端での焦点距離、
である。
【０２２１】
条件（１）は、フォーカシングレンズ群の焦点距離を規定する。条件（１）の上限を超えると、フォーカシングレンズ群の焦点距離が大きくなりすぎ、フォーカシングの際に移動する移動量が増大してコンパクトなズームレンズ系を実現できない。逆に、条件（１）の下限を下回ると、フォーカシングレンズ群の焦点距離が小さくなりすぎ、フォーカシングの際の収差変動が大きくなるので収差を他のレンズ群で補正できなくなる。
【０２２２】
各実施の形態に係るズームレンズ系は、以下の条件を満足することが望ましい。
０．１０＜｜ｆF／ｆT｜＜１．８    ・・・（２）
（ただし、ｆT／ｆW＞３．０である）
ｆF：フォーカシングレンズ群の焦点距離、
ｆT：全系の望遠端での焦点距離、
ｆW：全系の広角端での焦点距離、
である。
【０２２３】
条件（２）は、フォーカシングレンズ群の焦点距離を規定する。条件（２）の上限を超えると、フォーカシングレンズ群の焦点距離が大きくなりすぎ、フォーカシングの際に移動する移動量が増大してコンパクトなズームレンズ系を実現できない。逆に、条件（２）の下限を下回ると、フォーカシングレンズ群の焦点距離が小さくなりすぎ、フォーカシングの際の収差変動が大きくなるとともに、フォーカシングレンズ群の誤差感度が高くなるので、組立調整が難しくなる。
【０２２４】
各実施の形態に係るズームレンズ系は、以下の条件を満足することが望ましい。
１．００＜｜ｆF／ｆNW｜＜５．００    ・・・（３）
（ただし、ｆT／ｆW＞３．０である）
ここで、
ｆF：フォーカシングレンズ群の焦点距離、
ｆNW：フォーカシングレンズ群が負のパワーを有する場合、無限遠合焦状態でのフォーカシングレンズ群と負レンズ群と広角端における合成焦点距離、フォーカシングレンズ群が正のパワーを有する場合、負レンズ群の焦点距離、
ｆT：全系の望遠端での焦点距離、
ｆW：全系の広角端での焦点距離、
である。
【０２２５】
条件（３）は、フォーカシングレンズ群の焦点距離と、負レンズ群の焦点距離の比を規定する。条件式（３）の上限を超えると、フォーカシングレンズ群の焦点距離が大きくなりすぎ、フォーカシングの際に移動する移動量が増大してコンパクトなズームレンズ系を実現できない。逆に、条件（３）の下限を下回ると、ズーミングの際に発生する収差変動を後続するレンズ群で補正しきれなくなるとともに、フォーカシングレンズ群の移動による像倍率変化が大きくなりすぎ好ましくない。
【０２２６】
各実施の形態に係るズームレンズ系のうち、負レンズ群がズーミングに際して変化する間隔を介して正のパワーを有するレンズ群の像側に配置されている場合、ズームレンズ系は、以下の条件を満足することが望ましい。
１．２０＜βNT／βNW＜４．５０    ・・・（４）
（ただし、ｆT／ｆW＞３．０である）
ここで、
βNT：フォーカシングレンズ群が負のパワーを有する場合、フォーカシングレンズ群と負レンズ群と望遠端における無限遠合焦状態での合成焦点距離、フォーカシングレンズ群が正のパワーを有する場合、負レンズ群の望遠端における無限遠合焦状態での横倍率、
βNW：フォーカシングレンズ群が負のパワーを有する場合、フォーカシングレンズ群と負レンズ群と広角端における無限遠合焦状態での合成焦点距離、フォーカシングレンズ群が正のパワーを有する場合、負レンズ群の広角端における無限遠合焦状態での横倍率、
ｆT：全系の望遠端での焦点距離、
ｆW：全系の広角端での焦点距離、
である。
【０２２７】
条件（４）は、負レンズ群の倍率変化を規定し、実質的にズーミングへの寄与分担を示す。条件（４）の上下限を超えて範囲を逸脱すると、ズーミング自体が困難になるとともに、ズーミングの際に発生する収差変動が大きくなり他のレンズ群で補正できなくなる。
【０２２８】
各実施の形態に係るズームレンズ系のうち、負レンズ群がズーミングに際して変化する間隔を介して正のパワーを有するレンズ群の像側に配置されている場合、ズームレンズ系は、以下の条件を満足することが望ましい。
０．０１＜ＤF／ΣＤ＜０．１０    ・・・（５）
ここで、
ＤF：フォーカシングレンズ群の軸上厚み、
ΣＤ：全系のレンズ素子の軸上厚みの総和、
である。
【０２２９】
条件（５）は、フォーカシングレンズ群の軸上厚みを規定する。条件（５）の上限を超えると、フォーカシングレンズ群が大きくなりすぎウォブリングなど動画撮影に適したフォーカシングが困難になる。条件（５）の下限を下回ると、フォーカシングに必要な焦点距離を確保することが困難になり、フォーカシングの際に移動する移動量が大きくなり好ましくない。
【０２３０】
各実施の形態に係るズームレンズ系のうち、負レンズ群がズーミングに際して変化する間隔を介して正のパワーを有するレンズ群の像側に配置され、かつフォーカシングレンズ群が負のパワーを有している場合、ズームレンズ系は、以下の条件を満足することが望ましい。
０．５０＜ＤFWA／ｆW＜２．００    ・・・（７）
（ただし、ｆT／ｆW＞３．０である）
ここで、
ＤFWA：フォーカシングレンズ群の最も像側の面頂点から開口絞りまでの軸上間隔、
ｆT：全系の望遠端での焦点距離、
ｆW：全系の広角端での焦点距離、
である。
【０２３１】
条件（７）は、フォーカシングレンズ群が負のパワーを有する場合、フォーカシングレンズ群から開口絞りまでの軸上間隔を規定する。条件（７）の上限を超えると、フォーカシングレンズ群と開口絞りの軸上間隔が大きくなりすぎ、相対的にフォーカシングレンズ群の焦点距離が増大するのでコンパクトなズームレンズ系を実現することが困難になる。また、条件（７）の上限を超えると、フォーカシングの際に発生する収差、特に球面収差変動の補正が困難になる。条件（７）の下限を下回ると、フォーカシングレンズ群と開口絞りの軸上間隔が小さくなりすぎ、特に広角端での歪曲収差を補正することが困難になり好ましくない。
【０２３２】
各実施の形態に係るズームレンズ系のうち、負レンズ群がズーミングに際して変化する間隔を介して正のパワーを有するレンズ群の像側に配置され、かつフォーカシングレンズ群が負のパワーを有している場合、ズームレンズ系は、以下の条件を満足することが望ましい。
０．１０＜（ＤF／ｆW）＊（ｆT／ｆW）＜２．００    ・・・（８）
（ただし、ｆT／ｆW＞３．０である）
ここで、
ＤF：フォーカシングレンズ群の軸上間隔、
ｆT：全系の望遠端での焦点距離、
ｆW：全系の広角端での焦点距離、
である。
【０２３３】
条件（８）は、フォーカシングレンズ群の軸上厚を規定する条件である。条件（８）の上限を超えると、フォーカシングレンズ群の軸上厚が大きくなりすぎ、フォーカシングレンズ群の重量が増大するため好ましくない。逆に、条件（８）の下限を下回ると、フォーカシングレンズ群の軸上厚が小さくなりすぎ、製造することが困難になる。
【０２３４】
各実施の形態に係るズームレンズ系のうち、負レンズ群がズーミングに際して変化する間隔を介して正のパワーを有するレンズ群の像側に配置され、かつフォーカシングレンズ群が負のパワーを有している場合、ズームレンズ系は、以下の条件を満足することが望ましい。
０．０２＜｜ＤF／ｆF｜＜０．１５    ・・・（９）
（ただし、ｆT／ｆW＞３．０である）
ここで、
ＤF：フォーカシングレンズ群の軸上間隔、
ｆF：フォーカシングレンズ群の焦点距離、
ｆT：全系の望遠端での焦点距離、
ｆW：全系の広角端での焦点距離、
である。
【０２３５】
条件（９）は、フォーカシングレンズ群の焦点距離に関する条件である。条件（９）の上限を超えると、フォーカシングレンズ群の焦点距離が小さくなりすぎ、フォーカシングの際の収差変動を補正することが困難になる。逆に、条件（９）の下限を下回ると、フォーカシングレンズ群の焦点距離が大きくなりすぎ、フォーカシング、特にウォブリングの際の移動量が大きくなり、好ましくない。
【０２３６】
各実施の形態に係るズームレンズ系のうち、負レンズ群がズーミングに際して変化する間隔を介して正のパワーを有するレンズ群の像側に配置され、かつフォーカシングレンズ群が負のパワーを有している場合、ズームレンズ系は、以下の条件を満足することが望ましい。
１．８０＜｜ｆ1／ｆ2｜＜４．００    ・・・（１０）
ここで、
ｆ1：正レンズ群の焦点距離、
ｆ2：負レンズ群の焦点距離、
である。
【０２３７】
条件（１０）は、正レンズ群と負レンズ群との比を規定する。条件（１０）の上限を超えると、正レンズ群の焦点距離が大きくなり、歪曲収差の補正が困難になる。逆に、条件（１０）の下限を下回ると、負レンズ群の焦点距離が大きくなり、ズーミングの際の負レンズ群の移動量が大きくなり、好ましくない。
【０２３８】
各実施の形態に係るズームレンズ系のうち、負レンズ群がズーミングに際して変化する間隔を介して正のパワーを有するレンズ群の像側に配置され、かつフォーカシングレンズ群が負のパワーを有している場合、ズームレンズ系は、以下の条件を満足することが望ましい。
０．４０＜｜ｆ2／ｆF｜＜１．８０    ・・・（１１）
ここで、
ｆ2：負レンズ群の焦点距離、
ｆF：フォーカシングレンズ群の焦点距離、
である。
【０２３９】
条件（１１）は、フォーカシングレンズ群と負レンズ群との比を規定する。条件（１１）の上限を超えると、フォーカシングレンズ群の焦点距離が小さくなりすぎ、フォーカシングの際の像倍率変化が大きくなり好ましくない。逆に、条件（１１）の下限を下回ると、負レンズ群の焦点距離が小さくなりすぎ、ズーミングの際の収差変動が増大して他のレンズ群で補正することが困難になる。
【０２４０】
各実施の形態に係るズームレンズ系のうち、負レンズ群がズーミングに際して変化する間隔を介して正のパワーを有するレンズ群の像側に配置され、かつフォーカシングレンズ群が負のパワーを有している場合、ズームレンズ系は、以下の条件を満足することが望ましい。
１．５０＜｜ｆ1／ｆF｜＜４．００    ・・・（１２）
ここで、
ｆ1：正のパワーを有するレンズ群の焦点距離、
ｆF：フォーカシングレンズ群の焦点距離、
である。
【０２４１】
条件（１２）は、フォーカシングレンズ群と正レンズ群との比を規定する。条件（１２）の上限を超えると、フォーカシングレンズ群の焦点距離が小さくなりすぎ、フォーカシングの際の像倍率変化が大きくなり好ましくない。逆に、条件（１２）の下限を下回ると、正レンズ群の焦点距離が小さくなりすぎ、ズーミングの際の収差変動が増大して他のレンズ群で補正することが困難になる。
【０２４２】
各実施の形態に係るズームレンズ系のうち、負レンズ群がズーミングに際して変化する間隔を介して正のパワーを有するレンズ群の像側に配置され、かつフォーカシングレンズ群が負のパワーを有している場合、ズームレンズ系は、以下の条件を満足することが望ましい。
０．４０＜（ｒEF−ｒIF）／（ｒEF＋ｒIF）＜２．２０    ・・・（１３）
ここで、
ｒIF：フォーカシングレンズ群の最も物体側面の近軸曲率半径、
ｒEF：フォーカシングレンズ群の最も像側面の近軸曲率半径、
である。
【０２４３】
条件（１３）は、フォーカシングレンズ群の形状を実質的に規定する。条件（１３）の上下限を超えて範囲を逸脱すると、軸外収差、特に歪曲収差の補正が十分できなくなり、好ましくない。
【０２４４】
各実施の形態に係るズームレンズ系のうち、負レンズ群がズーミングに際して変化する間隔を介して正のパワーを有するレンズ群の像側に配置され、かつフォーカシングレンズ群が正のパワーを有している場合、ズームレンズ系は、以下の条件を満足することが望ましい。
０．１５＜ＤFWA／ｆW＜０．３０    ・・・（１４）
（ただし、ｆT／ｆW＞３．０である）
ここで、
ＤFWA：フォーカシングレンズ群の最も像側の面頂点から開口絞りまでの軸上間隔、
ｆT：全系の望遠端での焦点距離、
ｆW：全系の広角端での焦点距離、
である。
【０２４５】
条件（１４）は、フォーカシングレンズ群が負のパワーを有する場合、フォーカシングレンズ群から開口絞りまでの軸上間隔を規定する。条件（１４）の上限を超えると、フォーカシングレンズ群と開口絞りの軸上間隔が大きくなりすぎ、相対的にフォーカシングレンズ群の焦点距離が増大するのでコンパクトなズームレンズ系を実現することが困難になる。また、条件（１４）の上限を超えると、フォーカシングの際に発生する収差、特に球面収差変動の補正が困難になる。条件（１４）の下限を下回ると、フォーカシングレンズ群と開口絞りの軸上間隔が小さくなりすぎ、特に広角端での歪曲収差を補正することが困難になり好ましくない。
【０２４６】
各実施の形態に係るズームレンズ系のうち、負レンズ群がズーミングに際して変化する間隔を介して正のパワーを有するレンズ群の像側に配置され、かつフォーカシングレンズ群が正のパワーを有している場合、ズームレンズ系は、以下の条件を満足することが望ましい。
０．５０＜（ＤF／ｆW）＊（ｆT／ｆW）＜１．５０    ・・・（１５）
（ただし、ｆT／ｆW＞３．０である）
ここで、
ＤF：フォーカシングレンズ群の軸上間隔、
ｆT：全系の望遠端での焦点距離、
ｆW：全系の広角端での焦点距離、
である。
【０２４７】
条件（１５）は、フォーカシングレンズ群の軸上厚を規定する条件である。条件（１５）の上限を超えると、フォーカシングレンズ群の軸上厚が大きくなりすぎ、フォーカシングレンズ群の重量が増大するため好ましくない。逆に、条件（１５）の下限を下回ると、フォーカシングレンズ群の軸上厚が小さくなりすぎ、製造することが困難になる。
【０２４８】
各実施の形態に係るズームレンズ系のうち、負レンズ群がズーミングに際して変化する間隔を介して正のパワーを有するレンズ群の像側に配置され、かつフォーカシングレンズ群が正のパワーを有している場合、ズームレンズ系は、以下の条件を満足することが望ましい。
０．０２＜｜ＤF／ｆF｜＜０．１５    ・・・（１６）
（ただし、ｆT／ｆW＞３．０である）
ここで、
ＤF：フォーカシングレンズ群の軸上間隔、
ｆF：フォーカシングレンズ群の焦点距離、
ｆT：全系の望遠端での焦点距離、
ｆW：全系の広角端での焦点距離、
である。
【０２４９】
条件（１６）は、フォーカシングレンズ群の焦点距離に関する条件である。条件（１６）の上限を超えると、フォーカシングレンズ群の焦点距離が小さくなりすぎ、フォーカシングの際の収差変動を補正することが困難になる。逆に、条件（１６）の下限を下回ると、フォーカシングレンズ群の焦点距離が大きくなりすぎ、フォーカシング、特にウォブリングの際の移動量が大きくなり、好ましくない。
【０２５０】
各実施の形態に係るズームレンズ系のうち、負レンズ群がズーミングに際して変化する間隔を介して正のパワーを有するレンズ群の像側に配置され、かつフォーカシングレンズ群が正のパワーを有している場合、ズームレンズ系は、以下の条件を満足することが望ましい。
３．００＜｜ｆ1／ｆ2｜＜８．００    ・・・（１７）
ここで、
ｆ1：正レンズ群の焦点距離、
ｆ2：負レンズ群の焦点距離、
である。
【０２５１】
条件（１７）は、正レンズ群と負レンズ群との比を規定する。条件（１７）の上限を超えると、正レンズ群の焦点距離が大きくなり、歪曲収差の補正が困難になる。逆に、条件（１７）の下限を下回ると、負レンズ群の焦点距離が大きくなり、ズーミングの際の負レンズ群の移動量が大きくなり、好ましくない。
【０２５２】
各実施の形態に係るズームレンズ系のうち、負レンズ群がズーミングに際して変化する間隔を介して正のパワーを有するレンズ群の像側に配置され、かつフォーカシングレンズ群が正のパワーを有している場合、ズームレンズ系は、以下の条件を満足することが望ましい。
０．２０＜｜ｆ2／ｆF｜＜０．８０    ・・・（１８）
ここで、
ｆ2：負レンズ群の焦点距離、
ｆF：フォーカシングレンズ群の焦点距離、
である。
【０２５３】
条件（１８）は、フォーカシングレンズ群と負レンズ群との比を規定する。条件（１８）の上限を超えると、フォーカシングレンズ群の焦点距離が小さくなりすぎ、フォーカシングの際の像倍率変化が大きくなり好ましくない。逆に、条件（１８）の下限を下回ると、負レンズ群の焦点距離が小さくなりすぎ、ズーミングの際の収差変動が増大して他のレンズ群で補正することが困難になる。
【０２５４】
各実施の形態に係るズームレンズ系のうち、負レンズ群がズーミングに際して変化する間隔を介して正のパワーを有するレンズ群の像側に配置され、かつフォーカシングレンズ群が正のパワーを有している場合、ズームレンズ系は、以下の条件を満足することが望ましい。
１．５０＜｜ｆ1／ｆF｜＜４．００    ・・・（１９）
ここで、
ｆ1：正のパワーを有するレンズ群の焦点距離、
ｆF：フォーカシングレンズ群の焦点距離、
である。
【０２５５】
条件（１９）は、フォーカシングレンズ群と正レンズ群との比を規定する。条件（１９）の上限を超えると、フォーカシングレンズ群の焦点距離が小さくなりすぎ、フォーカシングの際の像倍率変化が大きくなり好ましくない。逆に、条件（１９）の下限を下回ると、正レンズ群の焦点距離が小さくなりすぎ、ズーミングの際の収差変動が増大して他のレンズ群で補正することが困難になる。
【０２５６】
なお、各実施の形態を構成している各レンズ群は、入射光線を屈折により偏向させる屈折型レンズ素子（つまり、異なる屈折率を有する媒質同士の界面で偏向が行われるタイプのレンズ）のみで構成されているが、これに限らない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。
【０２５７】
（実施の形態２３）
図８３は、実施の形態２３に係るカメラシステムのブロック図である。実施の形態２３に係るカメラシステムは、カメラ本体１００と、交換レンズ装置２００とを含む。
【０２５８】
カメラ本体１００は、カメラコントローラ１０１、撮像センサ１０２、シャッタユニット１０３、画像表示制御部１０４、撮像センサ制御部１０５、コントラスト検出部１０６、シャッタ制御部１０７、画像記録制御部１０８、ディスプレイ１１０、レリーズ釦１１１、メモリ１１２、電源１１３及びカメラマウント１１４を含む。
【０２５９】
カメラコントローラ１０１は、カメラシステム全体を制御する演算装置である。カメラコントローラ１０１は、画像表示制御部１０４と、撮像センサ制御部１０５と、コントラスト検出部１０６と、シャッタ制御部１０７と、画像記録制御部１０８と、メモリ１１２と、カメラマウント１１４と電気的に接続され相互に信号のやり取りが可能である。また、カメラコントローラ１０１は、レリーズ釦１１１と電気的に接続され、レリーズ釦１１１の操作による信号を受信する。さらに、カメラコントローラ１０１は、電源１１３と接続される。
【０２６０】
撮像センサ１０２は、例えばＣ−ＭＯＳセンサである。撮像センサ１０２は、受光面に入射した光学像を画像データに変換して出力する。撮像センサ１０２は、撮像センサ制御部１０５からの駆動信号に応じて駆動される。撮像センサ制御部１０５は、カメラコントローラ１０１からの制御信号に応じて、撮像センサ１０２を駆動する駆動信号を出力するとともに、撮像センサ１０２から出力される画像データをカメラコントローラ１０１へ出力する。コントラスト検出部１０６は、カメラコントローラ１０１からの制御信号に応じて、撮像センサ１０２から出力される画像データからコントラストを演算して検出し、カメラコントローラ１０１へ出力する。
【０２６１】
シャッタユニット１０３は、撮像センサ１０２に入射する画像光の光路を遮断するシャッタ板を含む。シャッタユニット１０３は、シャッタ制御部１０７からの駆動信号に応じて駆動される。シャッタ制御部１０７は、カメラコントローラ１０１からの制御信号に応じて、シャッタユニット１０３のシャッタ板の開閉タイミングを制御する。
【０２６２】
ディスプレイ１１０は、例えば液晶表示装置である。ディスプレイ１１０は、画像表示制御部１０４からの駆動信号に応じて駆動され、表示面に画像を表示する。画像表示制御部１０４は、カメラコントローラ１０１からの制御信号に応じて、ディスプレイ１１０に表示する画像データとディスプレイを駆動する駆動信号を出力する。
【０２６３】
画像記録制御部１０８、カメラコントローラ１０１からの制御信号に応じて、画像データを着脱可能に接続されたメモリカード１０９に出力する。
【０２６４】
カメラマウント１１４は、カメラ本体２００と後述する交換レンズ装置２００とを機構的に接続する。また、カメラマウント１１４は、カメラ本体２００と後述する交換レンズ装置２００とを電気的に接続するインターフェースとしても機能する。
【０２６５】
交換レンズ装置２００は、レンズコントローラ２０１、像ぶれ制御部２０２、絞り制御部２０３、フォーカス制御部２０４、ズーム制御部２０５、メモリ２０６、ぶれ検出部２０７、絞りユニット２０８、ズームレンズ系２０９（ズームレンズ群２０９ａ、フォーカシングレンズ群２０９ｂ、像ぶれ補正レンズ群２０９ｃ）及びレンズマウント２１０を含む。
【０２６６】
レンズコントローラ２０１は、交換レンズ装置２００の全体を制御する演算装置であり、レンズマウント２１０及びカメラマウント１１４を介して前述したカメラ本体にあるカメラコントローラ１１４と接続される。レンズコントローラ２０１は、像ぶれ制御部２０２、絞り制御部２０３、フォーカス制御部２０４、ズーム制御部２０５、メモリ２０６及びぶれ検出部２０７と電気的に接続され相互に信号のやり取りが可能である。
【０２６７】
ズームレンズ系２０９は、上述した実施の形態１のズームレンズ系である。ズームレンズ系２０９は、ズームレンズ群２０９ａ、フォーカシングレンズ群２０９ｂ及び像ぶれ補正レンズ群２０９ｃを含む。なお、ズームレンズ群２０９ａ、フォーカシングレンズ群２０９ｂ及び像ぶれ補正レンズ群２０９ｃの分類は、説明を簡単にするために模式化しているので、実際のズームレンズ系の構成を直接示してはいない。ズームレンズ系２０９は、ズームレンズ群２０９ａを光軸に沿った方向に移動させて、ズーミングを行う。ズームレンズ系２０９は、フォーカシングレンズ群２０９ｂを光軸に沿った方向に移動させて、フォーカシングを行う。また、ズームレンズ系２０９は、像ぶれ補正レンズ群２０９ｃを光軸に直交する方向に移動させて、像ぶれ補正を行う。
【０２６８】
像ぶれ制御部２０２は、レンズコントローラ２０１からの制御信号に応じて、像ぶれ補正レンズ群２０９ｃの現在の位置を検出して出力する。また、像ぶれ制御部２０２は、像ぶれ補正レンズ群２０９ｃを駆動する駆動信号を出力して、像ぶれ補正レンズ群２０９ｃを光軸と垂直な方向に駆動する。
【０２６９】
絞り制御部２０３は、レンズコントローラ２０１からの制御信号に応じて、絞りユニット２０８の現在の位置を検出して出力する。また、絞り制御部２０３は、絞りユニット２０８に含まれる絞り羽根を駆動する駆動信号を出力して絞りを開閉し、光学系のＦナンバーを変更する。
【０２７０】
フォーカス制御部２０４は、レンズコントローラ２０１からの制御信号に応じて、フォーカシングレンズ群２０９ｂの現在の位置を検出して出力する。また、フォーカス制御部２０４は、フォーカシング群２０９ｂを駆動する駆動信号を出力して、フォーカシングレンズ群２０９ｂを光軸に沿った方向に駆動する。
【０２７１】
ズーム制御部２０５は、レンズコントローラ２０１からの制御信号に応じて、ズームレンズ群２０９ａの現在の位置を検出して出力する。また、ズーム制御部２０５は、ズームレンズ群２０９ａを駆動する駆動信号を出力して、ズームレンズ群２０９ｂを光軸に沿った方向に駆動する。
【０２７２】
以上の構成において、レリーズ釦１１１が半押しされると、カメラコントローラ１０１は、オートフォーカスのルーチンを実行する。はじめに、カメラコントローラ１０１は、カメラマウント１１４及びレンズマウント２１０を介して、レンズコントローラ２０１と通信し、ズームレンズ群２０９ａ、フォーカシングレンズ群２０９ｂ、像ぶれ補正レンズ群２０９ｃ及び絞りユニット２０８の状態を検出する。
【０２７３】
次に、カメラコントローラ１０１は、カメラマウント１１４及びレンズマウント２１０を介して、レンズコントローラ２０１と通信し、レンズコントローラ２０１にフォーカシングレンズ群２０９ｂをウォブリング駆動する制御信号を出力する。レンズコントローラ２０１は、制御信号に基づいてフォーカス制御部２０４を制御して、フォーカシングレンズ群２０９ｂをウォブリング駆動する。カメラコントローラ１０１は、同時にカメラマウント１１４及びレンズマウント２１０を介して、レンズコントローラ２０１と通信し、レンズコントローラ２０１に絞り値が所定の値となるように指示する制御信号を出力する。レンズコントローラ２０１は、制御信号に基づいて絞り制御部２０３を制御して、所定のＦナンバーに対応させて絞りユニット２０８の絞り羽根を駆動する。
【０２７４】
一方、カメラコントローラ１０１は、撮像センサ制御部１０５及びコントラスト検出部１０６に、制御信号を出力する。撮像センサ制御部１０５及びコントラスト検出部１０６は、それぞれフォーカシングレンズ群２０９のウォブリング駆動のサンプリング周波数と関連付けて、撮像センサ１０２からの出力を得る。撮像センサ制御部１０５は、カメラコントローラ１０１からの制御信号に基づいて、光学像に対応する画像データをカメラコントローラ１０１へ送信する。カメラコントローラ１０１は、画像データに所定の画像処理を施し、画像表示制御部１０４へ送信する。画像表示制御部１０４は、画像データをディスプレイ１１０に可視像として表示させる。
【０２７５】
また、コントラスト検出部１０６は、ウォブリングと関連付けて画像データのコントラスト値を演算により求めてカメラコントローラ１０１へ送信する。カメラコントローラ１０１は、コントラスト検出部１０６の検出結果に基づいて、レンズコントローラ２０１へフォーカシングレンズ群のフォーカシング移動方向と移動量を決定し、これらに関する情報をレンズコントローラ２０１へ送信する。レンズコントローラ２０１は、フォーカシングレンズ群２０９ｂを移動するように、フォーカス制御部２０４へ制御信号を出力する。フォーカス制御部２０４は、レンズコントローラ２０１からの制御信号に基づいてフォーカシングレンズ群２０９ｂを駆動する。
【０２７６】
ライブビュー状態でオートフォーカスを行う場合、以上の動作が繰り返される。このように、ライブビュー状態でオートフォーカスを行う場合、フォーカシングレンズ群２０９ｂのウォブリングが継続して行われる。このとき、各実施の形態のズームレンズ系は、ウォブリングの際の像倍率変化が小さく、軽量であるので、上記システムに好適な撮像レンズ系となる。
【０２７７】
以上説明した実施の形態２３では、ズームレンズ系として実施の形態１に記載したズームレンズ系を適用した例を説明したが、他の実施の形態に係るズームレンズ系を適用しても良いことは言うまでもない。ただし、各実施の形態に係るズームレンズ系のうち、像ぶれ補正レンズ群２０９ｃを持たないズームレンズ系が適用される場合、像ぶれ制御部２０２などの構成は省略される。
【実施例】
【０２７８】
以下、実施の形態１〜２２に係るズームレンズ系を具体的に実施した数値実施例を説明する。後述するように、数値実施例１〜２５は、それぞれ実施の形態１〜２２に対応する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2009251116.tif 000003
ここで、κは円錐定数、Ａ４、Ａ６、Ａ８、Ａ１０及びＡ１２は、それぞれ４次、６次、８次、１０次及び１２次の非球面係数である。
【０２７９】
図２、６、１０、１４、１８、２２、２６、３０、３４、３８、４２、４６、５０、５４、５８、６２、６６、６９、７２、７５、７８、８１は、それぞれ数値実施例１、２、３、４、５、６、７、８、９、１０、１１、１２、１３、１４、１５、１６、１７、１８、１９、２０、２１、２２に係るズームレンズ系の無限遠合焦状態の縦収差図である。
【０２８０】
図３、７、１１、１５、１９、２３、２７、３１、３５、３９、４３、４７、５１、５５、５９、６３、６７、７０、７３、７６、７９、８２は、それぞれ数値実施例１、２、３、４、５、６、７、８、９、１０、１１、１２、１３、１４、１５、１６、１７、１８、１９、２０、２１、２２に係るズームレンズ系の近接合焦状態の縦収差図である。
【０２８１】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０２８２】
各数値実施例において、無限遠合焦状態の縦収差図と近接合焦状態の縦収差図とから明らかなように、各ズームレンズ系は、近接合焦状態においても無限遠合焦状態と同様の良好な収差性能を達成している。
【０２８３】
図４、８、１２、１６、２０、２４、２８、３２、３６、４０、４４、４８、５２、５６、６０、６４は、それぞれ数値実施例１、２、３、４、５、６、７、８、９、１０、１１、１２、１３、１４、１５、１６に係るズームレンズ系の像ぶれ補正を行っていない基本状態及び像ぶれ補正状態での横収差図である。
【０２８４】
各横収差図において、上段３つの収差図は、望遠端における像ぶれ補正を行っていない基本状態、下段３つの収差図は、第２レンズ群Ｇ２全体を光軸と垂直な方向に所定量移動させた望遠端における像ぶれ補正状態にそれぞれ対応する。基本状態の各横収差図のうち、上段は最大像高の７５％の像点における横収差、中段は軸上像点における横収差、下段は最大像高の−７５％の像点における横収差に、それぞれ対応する。像ぶれ補正状態の各横収差図のうち、上段は最大像高の７５％の像点における横収差、中段は軸上像点における横収差、下段は最大像高の−７５％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸を含む平面としている。
【０２８５】
なお、各数値実施例のズームレンズ系について、望遠端における、像ぶれ補正状態での補正レンズ群の光軸と垂直な方向への移動量（ＹT）は、以下に示すとおりである。
表１  （補正レンズ群の移動量）
【表１】
2009251116.tif 000004
【０２８６】
各横収差図から明らかなように、各ズームレンズ系は、軸上像点における横収差の対称性が良好であることがわかる。また、＋７５％像点における横収差と−７５％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、結像特性を低下させることなく充分な像ぶれ補正を行うことが可能である。
【０２８７】
（数値実施例１）
数値実施例１のズームレンズ系は、図１に示した実施の形態１に対応する。数値実施例１のズームレンズ系の面データを表２に、非球面データを表３に、各種データを表４に、ズームレンズ群データを表５に示す。
【０２８８】
表２  （面データ）
面番号         r           d           nd         vd
物面             ∞
1         43.21710     1.20000     1.84666    23.8 
2         25.43470     5.19210     1.80420    46.5 
3        981.95530        可変
4         82.59040     0.70000     1.88300    40.8 
5          9.38020     4.75790 
6        -35.73240     0.70000     1.80420    46.5 
7         44.32840     0.15000 
8         18.94040     3.04020     1.84666    23.8 
9        -49.21050        可変
10        -19.76000     0.80000     1.80420    46.5 
11       -138.28540        可変
12         41.91760     2.27020     1.48749    70.4 
13*       -18.78750     3.00000 
14(絞り)           ∞     0.80000
15         11.80590     9.59870     1.48749    70.4 
16         -9.25040     0.80000     1.80991    41.0 
17        -19.17090     0.10000 
18         22.73290     0.80000     1.84330    24.7 
19          9.42400     8.93080 
20         21.02660     2.03030     1.78220    25.7 
21         41.29530      BF 
像面             ∞
【０２８９】
表３  （非球面データ）
第13面
K=-2.22931E-01, A4= 3.37806E-05, A6= 7.70077E-07, A8=-4.63479E-08
A10= 7.39065E-10 
【０２９０】
表４  （各種データ）
ズーム比     3.05147
広角      中間      望遠
焦点距離      14.4088   25.1686   43.9679
Ｆナンバー     3.60905   4.84348   5.99491
画角        40.3126   23.7421   13.6890
像高        11.0000   11.0000   11.0000
レンズ全長     77.1851   86.0327  102.2025
ＢＦ       15.84139  25.45859  36.32682
d3           0.5000    6.5616   14.9075 
d9           4.4250    2.5240    2.9980 
d11         11.5485    6.6183    3.1000 
【０２９１】
表５  （ズームレンズ群データ）
群    始面      焦点距離
1       1      58.21940
2       4     -20.78405
3      10     -28.75388
4      12      17.86944
【０２９２】
（数値実施例２）
数値実施例２のズームレンズ系は、図５に示した実施の形態２に対応する。数値実施例２のズームレンズ系の面データを表６に、非球面データを表７に、各種データを表８に、ズーム群データを表９に示す。
【０２９３】
表６  （面データ）
面番号         r           d           nd         vd
物面             ∞
1         33.83330     1.20000     1.84666    23.8 
2         20.77060     0.01000     1.56732    42.8 
3         20.77060     6.28590     1.80420    46.5 
4        116.39280        可変
5         38.71660     0.70000     1.88300    40.8 
6          8.80740     4.80720 
7        -44.40300     0.70000     1.80420    46.5 
8         23.11540     0.15000 
9         15.40440     3.15370     1.84666    23.8 
10        -49.21050        可変
11        -18.01480     0.80000     1.80420    46.5 
12       -132.85380        可変
13         48.60620     2.03210     1.51443    63.3 
14*       -18.57800     3.00000 
15(絞り)           ∞     0.80000
16          9.81310     2.84000     1.49475    69.6 
17        -36.80060     0.01000     1.56732    42.8 
18        -36.80060     0.96930     1.76995    27.6 
19         29.16220     9.46760 
20         84.07330     2.08380     1.48749    70.4 
21        -20.12000     1.68460 
22         -8.42020     0.80000     1.75221    51.7 
23        -15.68550     0.15000 
24         26.62400     2.39610     1.54929    46.8 
25       6476.67870      BF 
像面             ∞
【０２９４】
表７  （非球面データ）
第14面
K= 6.62676E-02, A4= 2.73404E-05, A6= 2.59552E-08, A8= 6.74138E-10
A10=-1.11287E-11 
【０２９５】
表８  （各種データ）
ズーム比     3.05357
広角      中間      望遠
焦点距離      14.4000   25.1643   43.9713
Ｆナンバー     3.60956   4.87199   5.49083
画角        40.5373   24.6639   14.1615
像高        11.0000   11.0000   11.0000
レンズ全長     72.6963   80.8343   97.7212
ＢＦ       15.17359  27.31874  33.30463
d4           0.5000    2.8614   15.6225 
d10          2.5839    2.3994    3.1538 
d12         10.3985    4.2145    1.6000 
【０２９６】
表９  （ズームレンズ群データ）
群    始面      焦点距離
1       1      59.63024
2       5     -22.12178
3      11     -25.99565
4      13      17.09235
【０２９７】
（数値実施例３）
数値実施例３のズームレンズ系は、図９に示した実施の形態３に対応する。数値実施例３のズームレンズ系の面データを表１０に、非球面データを表１１に、各種データを表１２に、ズーム群データを表１３に示す。
【０２９８】
表１０  （面データ）
面番号         r           d           nd         vd
物面             ∞
1         33.75060     1.20000     1.84666    23.8 
2         20.77890     0.01000     1.56732    42.8 
3         20.77890     6.15900     1.80420    46.5 
4        120.41460        可変
5         37.60080     0.70000     1.88300    40.8 
6          8.72600     4.70880 
7        -55.82480     0.70000     1.80420    46.5 
8         20.72170     0.15000 
9         14.41540     3.22770     1.84666    23.8 
10        -49.21050        可変
11        -17.47170     0.80000     1.80420    46.5 
12       -253.90150        可変
13       -169.66660     1.52820     1.72916    54.7 
14        -27.83260     3.00000 
15(絞り)           ∞     0.80000
16         11.11030     3.20560     1.61016    60.9 
17        -17.84460     0.01000     1.56732    42.8 
18        -17.84460     0.91610     1.83802    26.3 
19       -678.72260     8.21640 
20*        29.09570     2.26450     1.48749    70.4 
21        -15.62460     0.85280 
22         -9.25560     0.80000     1.80477    45.9 
23         93.92590     1.82920 
24         30.39700     3.27490     1.58369    40.0 
25        -26.56500      BF 
像面             ∞
【０２９９】
表１１  （非球面データ）
第20面
K= 0.00000E+00, A4=-9.31373E-05, A6=-8.61821E-07, A8= 1.81544E-08
A10=-1.10493E-09 
【０３００】
表１２  （各種データ）
ズーム比     3.05267
広角      中間      望遠
焦点距離      14.4045   25.1613   43.9722
Ｆナンバー     3.60886   4.78574   5.43549
画角        40.5307   24.4885   14.0613
像高        11.0000   11.0000   11.0000
レンズ全長     72.7053   81.3086   97.7139
ＢＦ       15.17729  26.86964  33.35743
d4           0.5000    3.4867   15.3708 
d10          2.4989    2.3529    3.0325 
d12         10.1759    4.2462    1.6000 
【０３０１】
表１３  （ズームレンズ群データ）
群    始面      焦点距離
1       1      58.71443
2       5     -24.41553
3      11     -23.36629
4      13      16.94894
【０３０２】
（数値実施例４）
数値実施例４のズームレンズ系は、図１３に示した実施の形態４に対応する。数値実施例４のズームレンズ系の面データを表１４に、非球面データを表１５に、各種データを表１６に、ズーム群データを表１７に示す。
【０３０３】
表１４  （面データ）
面番号         r           d           nd         vd
物面             ∞
1         41.58720     1.20000     1.84666    23.8 
2         24.98410     0.01000     1.56732    42.8 
3         24.98410     7.27960     1.80420    46.5 
4        148.93230        可変
5         44.23380     0.70000     1.90366    31.3 
6          9.20050     4.94480 
7        -35.03150     0.70000     1.80420    46.5 
8         22.98100     0.18430 
9         17.02960     3.41510     1.92286    20.9 
10        -37.71140        可変
11        -20.25230     0.70000     1.82386    32.0 
12       -105.30170        可変
13       -196.54500     1.44540     1.80420    46.5 
14        -38.60810     1.10000 
15         18.40860     2.93490     1.74400    44.9 
16        -14.22720     0.01000     1.56732    42.8 
17        -14.22720     0.81380     1.84666    23.8 
18       -161.45670     1.10000 
19(絞り)           ∞    13.89740
20*        33.37530     3.56480     1.51443    63.3 
21        -10.14430     0.01000     1.56732    42.8 
22        -10.14430     0.70000     1.80610    33.3 
23         75.47740     0.50910 
24         27.51340     2.37520     1.84666    23.8 
25       -500.00000      BF 
像面             ∞
【０３０４】
表１５  （非球面データ）
第20面
K= 0.00000E+00, A4=-4.64962E-05, A6=-1.26354E-07, A8= 7.29053E-09
A10=-1.62407E-10 
【０３０５】
表１６  （各種データ）
ズーム比     3.03421
広角      中間      望遠
焦点距離      14.4002   25.0830   43.6932
Ｆナンバー     3.62531   4.79832   5.66523
画角        40.4543   24.6084   14.1553
像高        11.0000   11.0000   11.0000
レンズ全長     77.7025   85.6771  105.7196
ＢＦ       15.06999  26.58189  32.15024
d4           0.5400    4.3311   20.6494 
d10          3.1685    2.6924    3.7256 
d12         11.3296    4.4773    1.6000 
【０３０６】
表１７  （ズームレンズ群データ）
群    始面      焦点距離
1       1      72.67423
2       5     -24.38947
3      11     -30.54929
4      13      18.36280
【０３０７】
（数値実施例５）
数値実施例５のズームレンズ系は、図１７に示した実施の形態５に対応する。数値実施例５のズームレンズ系の面データを表１８に、非球面データを表１９に、各種データを表２０に、ズーム群データを表２１に示す。
【０３０８】
表１８  （面データ）
面番号         r           d           nd         vd
物面             ∞
1         42.96070     1.20000     1.84666    23.8 
2         25.92060     0.01000     1.56732    42.8 
3         25.92060     6.55090     1.80420    46.5 
4        169.01970        可変
5         48.51820     0.70000     1.90366    31.3 
6          9.29630     4.91560 
7        -35.68210     0.70000     1.80420    46.5 
8         24.70060     0.29410 
9         18.12650     3.49270     1.92286    20.9 
10        -42.04300        可変
11        -24.12750     0.70000     1.80610    33.3 
12       -126.46290        可変
13       -199.24170     1.43970     1.80420    46.5 
14        -41.67830     1.10000 
15         16.18500     3.04630     1.78590    43.9 
16        -15.20920     0.01000     1.56732    42.8 
17        -15.20920     0.71710     1.84666    23.8 
18        190.44830     1.15620 
19(絞り)           ∞    10.81490
20*       104.94440     3.00310     1.51443    63.3 
21         -8.88270     0.01000     1.56732    42.8 
22         -8.88270     0.70000     1.80420    46.5 
23        -78.31910     3.20510 
24         26.91780     2.38950     1.54814    45.8 
25       -500.00000      BF 
像面             ∞
【０３０９】
表１９  （非球面データ）
第20面
K= 0.00000E+00, A4=-6.89162E-05, A6=-1.16507E-07, A8=-1.02112E-08
A10= 3.91677E-11 
【０３１０】
表２０  （各種データ）
ズーム比     3.01481
広角      中間      望遠
焦点距離      14.4010   25.0043   43.4164
Ｆナンバー     3.62104   5.03037   5.66149
画角        40.4482   24.5894   14.1746
像高        11.0000   11.0000   11.0000
レンズ全長     77.5984   85.4062  105.7130
ＢＦ       15.06783  26.51298  32.51998
d4           0.6229    4.6469   20.7822 
d10          3.4652    3.1732    4.6556 
d12         12.2873    4.9179    1.6000 
【０３１１】
表２１  （ズームレンズ群データ）
群    始面      焦点距離
1       1      72.96184
2       5     -22.11132
3      11     -37.10127
4      13      19.15115
【０３１２】
（数値実施例６）
数値実施例６のズームレンズ系は、図２１に示した実施の形態６に対応する。数値実施例６のズームレンズ系の面データを表２２に、非球面データを表２３に、各種データを表２４に、ズーム群データを表２５に示す。
【０３１３】
表２２  （面データ）
面番号         r           d           nd         vd
物面             ∞
1         42.07080     1.20000     1.84666    23.8 
2         25.79060     0.01000     1.56732    42.8 
3         25.79060     7.28790     1.80420    46.5 
4        149.71930        可変
5         53.82100     0.70000     1.90366    31.3 
6          9.38730     4.85820 
7        -37.12600     1.20000     1.80470    41.0 
8*        32.30060     1.13550 
9         21.79130     3.07180     1.92286    20.9 
10        -42.23590        可変
11        -35.48460     0.70000     1.80610    33.3 
12        145.22990        可変
13        150.96840     1.40280     1.80420    46.5 
14       -112.84260     1.10000 
15         12.62530     3.20010     1.74330    49.2 
16        -21.40160     0.01000     1.56732    42.8 
17        -21.40160     0.92210     1.84666    23.8 
18        149.23410     1.27460 
19(絞り)           ∞     6.54640
20*        29.12070     2.50410     1.51443    63.3 
21         -7.46520     0.01000     1.56732    42.8 
22         -7.46520     0.70000     1.80420    46.5 
23         48.76610     5.51350 
24         26.79300     2.94610     1.48749    70.4 
25        -43.27020      BF 
像面             ∞
【０３１４】
表２３  （非球面データ）
第8面
K= 0.00000E+00, A4=-6.79186E-06, A6= 2.75874E-07, A8=-8.27389E-09
A10= 6.56929E-11 
第20面
K= 0.00000E+00, A4=-1.25292E-04, A6=-3.82479E-06, A8= 3.46565E-07
A10=-1.23309E-08 
【０３１５】
表２４  （各種データ）
ズーム比     3.02778
広角      中間      望遠
焦点距離      14.4201   25.0932   43.6607
Ｆナンバー     3.58227   4.87586   5.83037
画角        40.4947   24.4473   14.1473
像高        11.0000   11.0000   11.0000
レンズ全長     77.5939   86.5453  105.7177
ＢＦ       15.06249  25.57110  31.85013
d4           0.4000    6.3000   21.4205 
d10          3.3746    3.2765    4.5540 
d12         12.4637    5.1046    1.6000 
【０３１６】
表２５  （ズームレンズ群データ）
群    始面      焦点距離
1       1      73.53054
2       5     -25.93488
3      11     -35.31538
4      13      19.55654
【０３１７】
（数値実施例７）
数値実施例７のズームレンズ系は、図２５に示した実施の形態７に対応する。数値実施例７のズームレンズ系の面データを表２６に、非球面データを表２７に、各種データを表２８に、ズーム群データを表２９に示す。
【０３１８】
表２６  （面データ）
面番号         r           d           nd         vd
物面             ∞
1         97.18260     1.20000     1.84666    23.8 
2         59.22040     5.64620     1.49700    81.6 
3        623.98800     0.20000 
4         64.74630     4.11060     1.72916    54.7 
5        257.04630        可変
6         44.95400     1.00000     1.88300    40.8 
7         14.89470     6.11710 
8        -65.21500     0.80000     1.83481    42.7 
9         79.27340     0.30000 
10         27.37660     2.66150     1.92286    18.9 
11        975.15220        可変
12        -25.99020     0.70000     1.83481    42.7 
13         25.72820     0.30000 
14         24.64350     1.58960     1.84666    23.8 
15         83.01740        可変
16(絞り)           ∞     1.17000
17         27.09090     1.74340     1.62299    58.1 
18       -241.48760     0.30000 
19*        12.93580     1.93840     1.48749    70.4 
20         33.46510     0.30000 
21         28.94950     0.70000     1.83400    37.3 
22         14.51370        可変
23         13.46950     3.82840     1.84666    23.8 
24          8.75400     3.67160     1.51760    63.5 
25*       -42.54940     1.00000 
26       -113.24540     0.70000     1.84666    23.8 
27         37.31110     5.96160 
28*        27.61410     4.00480     1.68893    31.1 
29        -18.37350     1.65420 
30        -12.35470     0.70000     1.83481    42.7 
31        -66.88770      BF 
像面             ∞
【０３１９】
表２７  （非球面データ）
第19面
K= 0.00000E+00, A4=-2.54373E-05, A6=-4.36871E-09, A8=-1.59208E-09
A10= 0.00000E+00 
第25面
K= 0.00000E+00, A4= 5.90621E-05, A6= 1.10756E-07, A8=-7.79429E-09
A10= 8.72488E-11 
第28面
K= 0.00000E+00, A4= 2.57689E-05, A6= 8.95676E-08, A8= 8.00095E-10
A10= 2.23671E-11 
【０３２０】
表２８  （各種データ）
ズーム比    10.01328
広角      中間      望遠
焦点距離      14.4802   47.0012  144.9939
Ｆナンバー     4.10714   6.08617   6.29290
画角        40.3350   13.0043    4.2787
像高        11.0000   11.0000   11.0000
レンズ全長    101.5678  132.1204  165.0546
ＢＦ       16.86766  34.71640  47.67448
d5           0.3000   28.6184   53.5827 
d11          5.0309    4.6988    7.5000 
d15         20.1091    8.5806    2.0000 
d22          6.9627    3.2088    2.0000 
【０３２１】
表２９（ズームレンズ群データ）
群    始面      焦点距離
1       1      95.87909
2       6     -38.06367
3      12     -24.81420
4      16      38.91764
5      23      35.37675
【０３２２】
（数値実施例８）
数値実施例８のズームレンズ系は、図２９に示した実施の形態２９に対応する。数値実施例２９のズームレンズ系の面データを表３０に、非球面データを表３１に、各種データを表３２に、ズーム群データを表３３に示す。
【０３２３】
表３０  （面データ）
面番号         r           d           nd         vd
物面             ∞
1         72.06380     1.20000     1.84666    23.8 
2         44.82460     4.94400     1.49700    81.6 
3        179.32400     0.20000 
4         56.21680     3.99930     1.77250    49.6 
5        235.44770        可変
6         40.85450     1.00000     1.90366    31.3 
7         12.04170     5.66070 
8        -46.87750     0.70000     1.80610    33.3 
9         49.74080     0.20000 
10         22.47680     3.63460     1.94595    18.0 
11        -94.62740        可変
12        -23.49900     0.70000     1.80420    46.5 
13       -836.21030        可変
14(絞り)           ∞     1.17000
15         17.38230     2.43350     1.69400    56.3 
16*       -68.55390     0.30000 
17         12.85750     3.27960     1.61800    63.4 
18        -39.58700     0.01000     1.56732    42.8 
19        -39.58700     1.98900     1.80610    33.3 
20         10.06630     0.96040 
21         31.38760     2.27190     1.48749    70.4 
22        -19.38890     1.05190 
23       -531.47260     1.91500     1.84666    23.8 
24        -12.13420     0.70000     1.80610    33.3 
25         18.75770        可変
26        -86.82700     1.78870     1.51760    63.5 
27*       -15.68550     1.84310 
28        -10.98090     0.70000     1.80420    46.5 
29        -22.08400     0.20000 
30         26.94980     4.22470     1.51742    52.1 
31        -12.32080     0.01000     1.56732    42.8 
32        -12.32080     0.70000     1.80420    46.5 
33        -27.27430      BF 
像面             ∞
【０３２４】
表３１  （非球面データ）
第16面
K= 0.00000E+00, A4= 4.31647E-05, A6=-1.18892E-07, A8= 1.91929E-09
A10=-1.91817E-11, A12= 0.00000E+00 
第27面
K= 0.00000E+00, A4=-4.60035E-05, A6=-2.87752E-07, A8=-6.89809E-09
A10=-8.47311E-11, A12= 6.07866E-13 
【０３２５】
表３２  （各種データ）
ズーム比     8.31912
広角      中間      望遠
焦点距離      14.5000   45.7985  120.6276
Ｆナンバー     4.12045   4.96080   5.80028
画角        40.3065   13.5211    5.2219
像高        11.0000   11.0000   11.0000
レンズ全長     93.5691  119.5950  148.5703
ＢＦ       14.95014  33.17625  43.27012
d5           0.6000   22.5177   43.8164 
d11          2.9000    3.8000    7.1000 
d13         24.5466    9.4198    2.1700 
d25          2.7860    2.8949    4.4274 
【０３２６】
表３３  （ズームレンズ群データ）
群    始面      焦点距離
1       1      85.89197
2       6     -39.48361
3      12     -30.07678
4      14      21.41574
5      26      57.67340
【０３２７】
（数値実施例９）
数値実施例９のズームレンズ系は、図３３に示した実施の形態９に対応する。数値実施例９のズームレンズ系の面データを表３４に、非球面データを表３５に、各種データを表３６に、ズーム群データを表３７に示す。
【０３２８】
表３４  （面データ）
面番号         r           d           nd         vd
物面             ∞
1         35.57350     1.20000     1.84666    23.8 
2         24.39090     0.01000     1.56732    42.8 
3         24.39090     8.21250     1.72916    54.7 
4        112.49750        可変
5         29.46230     0.70000     1.88300    40.8 
6          8.55300     3.90780 
7         49.08160     0.70000     1.80420    46.5 
8         14.90170     0.15020 
9         11.22820     2.66860     1.88627    20.9 
10         38.17570        可変
11        -21.57740     0.80000     1.80420    46.5 
12       -208.58690        可変
13(絞り)           ∞     0.80000
14         38.62380     2.55330     1.65741    58.1 
15         -8.46830     0.01000     1.56732    42.8 
16         -8.46830     0.70000     1.81573    36.6 
17        -20.64780     2.00000 
18        -49.37020     0.80000     1.72916    54.7 
19       -275.28120        可変
20*        72.15450     2.17600     1.73185    54.3 
21        -31.32140     0.15010 
22         16.93800     4.32260     1.48749    70.4 
23        -23.22450     0.10000 
24         56.11280     0.80000     1.81730    35.6 
25         12.18130      BF 
像面             ∞
【０３２９】
表３５  （非球面データ）
第20面
K= 0.00000E+00, A4=-6.87649E-05, A6= 1.14968E-07, A8=-4.14869E-09
【０３３０】
表３６  （各種データ）
ズーム比     3.05354
広角      中間      望遠
焦点距離      14.3999   25.1622   43.9705
Ｆナンバー     3.60603   4.55238   5.32062
画角        40.5114   23.8476   13.7742
像高        11.0000   11.0000   11.0000
レンズ全長     77.6987   87.6960  102.4577
ＢＦ       25.09499  31.53207  38.41726
d4           0.5000   11.2352   22.4826 
d10          3.2373    3.3918    4.1968 
d12         10.9135    6.1013    2.5999 
d19          5.1918    2.6745    2.0000 
【０３３１】
表３７  （ズームレンズ群データ）
群    始面      焦点距離
1       1      75.39944
2       5     -20.57322
3      11     -29.98384
4      13      37.91877
5      20      25.50754
【０３３２】
（数値実施例１０）
数値実施例１０のズームレンズ系は、図３７に示した実施の形態１０に対応する。数値実施例１０のズームレンズ系の面データを表３８に、非球面データを表３９に、各種データを表４０に、ズーム群データを表４１に示す。
【０３３３】
表３８  （面データ）
面番号         r           d           nd         vd
物面             ∞
1         39.75020     1.20000     1.84666    23.8 
2         23.31650     0.01000     1.56732    42.8 
3         23.31650     7.53790     1.80420    46.5 
4        167.75010        可変
5         42.91510     0.70000     1.88300    40.8 
6          9.03750     4.49980 
7        -75.23540     0.70000     1.80420    46.5 
8         22.01970     0.15000 
9         14.96860     3.06300     1.84666    23.8 
10        -72.10310        可変
11        -19.97180     0.80000     1.80420    46.5 
12       -130.61870        可変
13(絞り)           ∞     0.80000
14       -106.10960     1.34960     1.80420    46.5 
15        -42.01180     0.15000 
16         14.23240     3.02120     1.73636    53.7 
17        -15.89850     0.01000     1.56732    42.8 
18        -15.89850     0.86370     1.82815    30.0 
19        140.77420     6.45490 
20         50.63850     0.80000     1.62041    60.3 
21         25.63810     2.11440 
22*        16.88120     4.95270     1.51443    63.3 
23         -8.03600     0.01000     1.56732    42.8 
24         -8.03600     0.80000     1.77823    48.9 
25        -32.94730      BF 
像面             ∞
【０３３４】
表３９  （非球面データ）
第22面
K= 2.89522E+00, A4=-1.28550E-04, A6=-1.62009E-07, A8=-5.76957E-09
A10= 2.55610E-11 
【０３３５】
表４０  （各種データ）
ズーム比     3.05354
広角      中間      望遠
焦点距離      14.4000   25.1644   43.9710
Ｆナンバー     3.60857   4.53853   5.34109
画角        40.4086   23.7802   13.7807
像高        11.0000   11.0000   11.0000
レンズ全長     76.6965   86.7484  101.6734
ＢＦ       20.86496  28.17383  36.35448
d4           0.5000    9.2699   18.8608 
d10          3.4709    2.7585    3.8709 
d12         11.8734    6.5590    2.6000 
【０３３６】
表４１  （ズームレンズ群データ）
群    始面      焦点距離
1       1      65.93589
2       5     -22.50678
3      11     -29.41177
4      13      17.42374
【０３３７】
（数値実施例１１）
数値実施例１１のズームレンズ系は、図４１に示した実施の形態１１に対応する。数値実施例１１のズームレンズ系の面データを表４２に、非球面データを表４３に、各種データを表４４に、ズーム群データを表４５に示す。
【０３３８】
表４２  （面データ）
面番号         r           d           nd         vd
物面             ∞
1         54.67070     1.20000     1.84666    23.8 
2         29.73640     0.01000     1.56732    42.8 
3         29.73640     5.69850     1.80420    46.5 
4        366.83850        可変
5         47.76190     0.70000     1.88300    40.8 
6          9.80640     4.42270 
7        -66.68270     0.70000     1.80420    46.5 
8         26.99710     0.15000 
9         16.93620     3.04290     1.84666    23.8 
10        -71.10620        可変
11        -21.70620     0.80000     1.80420    46.5 
12        -77.48440        可変
13(絞り)           ∞     0.80000
14       -641.22280     1.47800     1.80420    46.5 
15        -37.85060     0.15000 
16         15.49410     2.79940     1.74330    49.2 
17        -23.08580     0.01000     1.56732    42.8 
18        -23.08580     3.30070     1.80518    25.5 
19         48.95390     4.75370 
20        209.66310     0.80000     1.51680    64.2 
21         35.68140     5.06070 
22*        16.93910     5.60780     1.51443    63.3 
23         -8.63840     0.01000     1.56732    42.8 
24         -8.63840     0.80000     1.74330    49.2 
25        -56.39880      BF 
像面             ∞
【０３３９】
表４３  （非球面データ）
第22面
K= 2.91946E+00, A4=-1.15818E-04, A6=-3.30944E-07, A8=-5.69984E-10
A10=-9.08042E-11 
【０３４０】
表４４  （各種データ）
ズーム比     3.05357
広角      中間      望遠
焦点距離      14.4015   25.1650   43.9760
Ｆナンバー     3.60574   4.61537   5.61571
画角        40.4525   23.6345   13.7790
像高        11.0000   11.0000   11.0000
レンズ全長     78.5958   89.5418  106.5805
ＢＦ       17.56606  25.56657  35.56770
d4           1.1532   11.2057   22.2817 
d10          3.4367    3.1363    3.8367 
d12         14.1454    7.3388    2.6000 
【０３４１】
表４５  （ズームレンズ群データ）
群    始面      焦点距離
1       1      83.33335
2       5     -24.19692
3      11     -37.73591
4      13      18.61647
【０３４２】
（数値実施例１２）
数値実施例１２のズームレンズ系は、図４５に示した実施の形態１２に対応する。数値実施例１２のズームレンズ系の面データを表４６に、非球面データを表４７に、各種データを表４８に、ズーム群データを表４９に示す。
【０３４３】
表４６  （面データ）
面番号         r           d           nd         vd
物面             ∞
1         80.00000     1.20000     1.84666    23.8 
2         35.23940     4.60490     1.62299    58.1 
3        146.60500     0.10000 
4         32.99430     4.17360     1.80420    46.5 
5        121.46300        可変
6*        56.16390     1.20000     1.85976    40.5 
7          8.12330     4.35250 
8        -21.45650     0.70000     1.88300    40.8 
9         34.64830     0.71300 
10         22.59170     2.59950     1.92286    20.9 
11        -28.93770     0.83860 
12        -13.14350     0.80000     1.80420    46.5 
13        -30.75660        可変
14         19.23570     0.70000     1.81183    28.8 
15         10.73730     2.42280     1.64139    56.0 
16*       -36.39360        可変
17(絞り)           ∞     0.80000
18         14.06440     2.43070     1.63547    59.4 
19        -37.47820     0.10000 
20         48.44800     2.04680     1.51782    55.4 
21        -14.08110     0.80000     1.80429    46.4 
22         13.50040        可変
23         18.77840     3.50520     1.48749    70.4 
24        -15.03170     0.09980 
25*       -38.22710     1.20000     1.68400    31.3 
26         24.64730     0.47430 
27         48.87990     3.73520     1.56071    43.9 
28        -10.22970     0.70000     1.80420    46.5 
29        -35.25900      BF 
像面             ∞
【０３４４】
表４７  （非球面データ）
第6面
K= 0.00000E+00, A4= 3.77145E-05, A6=-3.27660E-07, A8= 4.20835E-09
A10=-3.84294E-11, A12= 1.53222E-13 
第16面
K= 0.00000E+00, A4= 3.61692E-05, A6=-6.05514E-08, A8=-1.68025E-09
A10= 0.00000E+00, A12= 0.00000E+00 
第25面
K= 0.00000E+00, A4=-9.27327E-05, A6=-7.61534E-07, A8=-1.95775E-09
A10= 2.58420E-10, A12=-3.50474E-12 
【０３４５】
表４８  （各種データ）
ズーム比     4.77508
広角      中間      望遠
焦点距離      12.2510   26.7706   58.4997
Ｆナンバー     3.60055   5.10050   5.70104
画角        43.5988   21.8377   10.3518
像高        11.0000   11.0000   11.0000
レンズ全長     75.1917   87.4143  107.7782
ＢＦ       14.23280  27.63772  41.54696
d5           0.8000   10.1196   20.3594 
d13         11.2845    4.7436    1.2000 
d16          2.0562    2.3579    3.1478 
d22          6.5213    2.2586    1.2271 
【０３４６】
表４９  （ズームレンズ群データ）
群    始面      焦点距離
1       1      55.88415
2       6      -8.05102
3      14      23.12958
4      17     169.26047
5      23      41.63152
【０３４７】
（数値実施例１３）
数値実施例１３のズームレンズ系は、図４９に示した実施の形態１３に対応する。数値実施例１３のズームレンズ系の面データを表５０に、非球面データを表５１に、各種データを表５２に、ズーム群データを表５３に示す。
【０３４８】
表５０  （面データ）
面番号         r           d           nd         vd
物面             ∞
1         79.85740     1.20000     1.84666    23.8 
2         42.90190     0.01000     1.56732    42.8 
3         42.90190     4.02100     1.62299    58.1 
4        178.47990     0.15000 
5         36.47630     4.21400     1.58913    61.3 
6        156.48860        可変
7         75.42430     0.70000     1.88300    40.8 
8          8.63110     4.99200 
9        -27.78580     0.60000     1.72916    54.7 
10         22.16910     0.01000     1.56732    42.8 
11         22.16910     1.32120     1.94595    18.0 
12         64.47310     0.15000 
13*        25.20890     1.78380     1.68400    31.3 
14        200.13630        可変
15*        31.56710     1.92050     1.68863    52.8 
16*       -24.98200        可変
17(絞り)           ∞     0.80000
18          8.86320     3.88860     1.51214    67.9 
19        -34.59720     0.01000     1.56732    42.8 
20        -34.59720     0.60000     1.83400    37.3 
21         10.45970     1.02340 
22       -171.29230     0.70000     1.81427    37.6 
23         85.40420        可変
24*        25.85530     3.50930     1.60820    57.8 
25*       -12.17470     0.15160 
26        -37.41050     2.11200     1.48746    70.3 
27        -12.12240     0.01000     1.56732    42.8 
28        -12.12240     0.70000     1.82087    33.5 
29       -623.66470     4.14200 
30         59.92360     1.62660     1.84679    23.9 
31       -573.64510      BF 
像面             ∞
【０３４９】
表５１  （非球面データ）
第13面
K= 7.76662E-01, A4= 3.17829E-05, A6=-8.33555E-08, A8=-1.21719E-09
A10= 1.59898E-10, A12=-2.09850E-12 
第15面
K= 0.00000E+00, A4=-6.99200E-06, A6= 1.81625E-06, A8=-2.31634E-08
A10= 1.64207E-09, A12= 0.00000E+00 
第16面
K= 0.00000E+00, A4= 2.92032E-05, A6= 1.26564E-06, A8=-1.15990E-08
A10= 1.65715E-09, A12= 0.00000E+00 
第24面
K=-7.69668E-01, A4=-3.70313E-05, A6= 8.27040E-07, A8=-5.36566E-08
A10= 1.55393E-09, A12=-9.43912E-12 
第25面
K= 1.15274E+00, A4= 1.22175E-04, A6= 3.94692E-06, A8=-9.69229E-08
A10= 1.83580E-09, A12= 0.00000E+00 
【０３５０】
表５２  （各種データ）
ズーム比     4.69384
広角      中間      望遠
焦点距離      12.3601   26.7744   58.0164
Ｆナンバー     3.49386   4.94748   5.78661
画角        44.7403   22.1717   10.5263
像高        11.0000   11.0000   11.0000
レンズ全長     77.2022   90.3080  111.1832
ＢＦ       15.01926  26.33363  38.54196
d6           0.4209   12.9271   26.4526 
d14         13.7989    5.6781    1.3151 
d16          3.2098    3.4219    4.0175 
d23          4.4073    1.6013    0.5100 
【０３５１】
表５３  （ズームレンズ群データ）
群    始面      焦点距離
1       1      69.86430
2       7     -10.08322
3      15      20.53559
4      17     -34.55578
5      24      21.26831
【０３５２】
（数値実施例１４）
数値実施例１４のズームレンズ系は、図５３に示した実施の形態１４に対応する。数値実施例１４のズームレンズ系の面データを表５３に、非球面データを表５４に、各種データを表５５に、ズーム群データを表５６に示す。
【０３５３】
表５４  （面データ）
面番号         r           d           nd         vd
物面             ∞
1         80.00000     1.20000     1.84666    23.8 
2         43.67470     0.01000     1.56732    42.8 
3         43.67470     4.41580     1.62299    58.1 
4        314.96890     0.15000 
5         39.85940     3.99980     1.58913    61.3 
6        199.87000        可変
7        107.66530     0.70000     1.88300    40.8 
8          8.91870     4.77870 
9        -28.67460     0.60000     1.72916    54.7 
10         18.55870     0.01000     1.56732    42.8 
11         18.55870     1.38500     1.94595    18.0 
12         44.73720     0.15000 
13*        22.50310     1.83090     1.68400    31.3 
14        149.31330        可変
15*        31.63230     1.91490     1.60671    57.4 
16*       -23.40760        可変
17(絞り)           ∞     0.80000
18         10.42680     3.70590     1.49434    66.2 
19        293.33330     0.01000     1.56732    42.8 
20        293.33330     0.60000     1.82093    33.5 
21         12.24480     2.86850 
22        -60.34770     0.70000     1.80420    46.5 
23               ∞        可変
24*        23.63400     3.89020     1.60600    57.5 
25*       -22.45830     0.15000 
26         27.72330     3.99190     1.48749    70.4 
27        -21.04610     0.01000     1.56732    42.8 
28        -21.04610     0.70000     1.82852    29.8 
29         18.79900     3.53510 
30         29.94510     2.53130     1.84666    23.8 
31       -705.16990      BF 
像面             ∞
【０３５４】
表５５  （非球面データ）
第13面
K= 5.57201E+00, A4=-3.56370E-05, A6=-3.74234E-07, A8=-1.39332E-08
A10= 3.28664E-10, A12=-4.83633E-12 
第15面
K= 0.00000E+00, A4= 1.15577E-05, A6=-5.20999E-07, A8= 1.19760E-07
A10= 1.70358E-10, A12= 0.00000E+00 
第16面
K= 0.00000E+00, A4= 4.94436E-05, A6=-4.81411E-07, A8= 1.04384E-07
A10= 6.85884E-10, A12= 0.00000E+00 
第24面
K= 0.00000E+00, A4= 8.79077E-06, A6=-1.74664E-06, A8= 4.96314E-08
A10=-8.19694E-10, A12= 2.72586E-12 
第25面
K= 2.19312E+00, A4= 6.16469E-05, A6=-8.57834E-07, A8= 2.53752E-08
A10=-3.86943E-10, A12= 0.00000E+00 
【０３５５】
表５６  （各種データ）
ズーム比     4.70901
広角      中間      望遠
焦点距離      12.3606   26.8091   58.2061
Ｆナンバー     3.59003   4.95559   5.65473
画角        44.6462   22.0536   10.4938
像高        11.0000   11.0000   11.0000
レンズ全長     84.7185   97.6260  118.6772
ＢＦ       14.96866  27.74422  41.07506
d6           0.4179   12.1408   25.2691 
d14         14.8605    6.0603    1.3629 
d16          2.9824    3.9321    4.3321 
d23          6.8510    3.1106    2.0000 
【０３５６】
表５７  （ズームレンズ群データ）
群    始面      焦点距離
1       1      65.51468
2       7      -9.77604
3      15      22.46848
4      17     -46.31576
5      24      23.77370
【０３５７】
（数値実施例１５）
数値実施例１５のズームレンズ系は、図５７に示した実施の形態１５に対応する。数値実施例１５のズームレンズ系の面データを表５８に、非球面データを表５９に、各種データを表６０に、ズーム群データを表６１に示す。
【０３５８】
表５８  （面データ）
面番号         r           d           nd         vd
物面             ∞
1         80.00000     1.20000     1.84666    23.8 
2         43.69660     0.01000     1.56732    42.8 
3         43.69660     3.88150     1.62299    58.1 
4        157.89800     0.10000 
5         35.15840     4.43540     1.58913    61.3 
6        154.58910        可変
7         44.74720     0.70000     1.88300    40.8 
8          8.75050     5.05830 
9        -26.46620     0.60000     1.72916    54.7 
10         14.41410     0.01000     1.56732    42.8 
11         14.41410     1.55510     1.94595    18.0 
12         25.71210     0.10000 
13*        14.48460     1.92570     1.68400    31.3 
14         51.53140        可変
15*        51.43310     1.63020     1.68863    52.8 
16*       -25.11770        可変
17(絞り)           ∞     1.50000
18          9.83310     4.44230     1.60311    60.7 
19        -33.30170     0.01000     1.56732    42.8 
20        -33.30170     0.60000     1.80610    33.3 
21         10.37750        可変
22*        26.68240     3.10680     1.60820    57.8 
23*       -15.69060     0.80680 
24        -67.36380     2.76710     1.48749    70.4 
25        -11.15520     0.01000     1.56732    42.8 
26        -11.15520     0.70000     1.80610    33.3 
27         34.70820     2.32680 
28         53.61740     2.36440     1.84666    23.8 
29        -45.70260      BF 
像面             ∞
【０３５９】
表５９  （非球面データ）
第13面
K=-1.08699E+00, A4= 1.98621E-06, A6= 6.17544E-07, A8=-4.81601E-08
A10= 1.15961E-09, A12=-1.05549E-11 
第15面
K= 0.00000E+00, A4=-1.41590E-05, A6= 8.39493E-06, A8=-2.60947E-07
A10= 8.46868E-09, A12= 0.00000E+00 
第16面
K= 0.00000E+00, A4= 1.73948E-05, A6= 7.29318E-06, A8=-2.08987E-07
A10= 7.67727E-09, A12= 0.00000E+00 
第22面
K=-1.89956E+00, A4=-2.26837E-05, A6= 4.15838E-07, A8=-2.91604E-08
A10= 2.58289E-10, A12= 7.19058E-12 
第23面
K= 6.66600E-01, A4= 1.65507E-05, A6= 2.46380E-06, A8=-8.78790E-08
A10= 1.26195E-09, A12= 0.00000E+00 
【０３６０】
表６０  （各種データ）
ズーム比     4.69353
広角      中間      望遠
焦点距離      12.3602   26.7801   58.0130
Ｆナンバー     3.52521   4.71488   5.78858
画角        44.6330   22.2493   10.5212
像高        11.0000   11.0000   11.0000
レンズ全長     77.2191   89.5268  111.1808
ＢＦ       14.96922  27.09637  39.63498
d6           0.3994   11.8062   25.4291 
d14         14.0462    5.7627    1.4326 
d16          2.5685    3.0755    3.6755 
d21          5.3954    1.9456    1.1682 
【０３６１】
表６１  （ズームレンズ群データ）
群    始面      焦点距離
1       1      68.92235
2       7      -9.77303
3      15      24.72151
4      17    -148.93870
5      22      26.64608
【０３６２】
（数値実施例１６）
数値実施例１６のズームレンズ系は、図６１に示した実施の形態１６に対応する。数値実施例１６のズームレンズ系の面データを表６２に、非球面データを表６３に、各種データを表６４に、ズーム群データを表６５に示す。
【０３６３】
表６２  （面データ）
面番号         r           d           nd         vd
物面             ∞
1         80.00000     1.20000     1.84666    23.8 
2         41.58340     3.90830     1.62299    58.1 
3        144.84920     0.10000 
4         37.06610     3.92650     1.72916    54.7 
5        141.90650        可変
6         33.75870     0.70000     1.88300    40.8 
7          8.46830     5.19850 
8        -20.55630     0.60000     1.72916    54.7 
9         13.22520     0.01000     1.56732    42.8 
10         13.22520     1.47020     1.94595    18.0 
11         21.73160     0.10000 
12*        13.49080     1.94590     1.68400    31.3 
13         60.48790        可変
14*        46.43790     1.57530     1.68863    52.8 
15*       -30.28080        可変
16(絞り)           ∞     1.50000
17         11.07990     4.93530     1.61730    50.7 
18        -19.35760     0.01000     1.56732    42.8 
19        -19.35760     0.60000     1.80610    33.3 
20         12.27420        可変
21*        15.17120     4.11750     1.60820    57.8 
22*       -15.68910     0.10000 
23       -101.99330     3.81360     1.48749    70.4 
24         -8.95160     0.01000     1.56732    42.8 
25         -8.95160     0.70000     1.80610    33.3 
26         19.61820     2.72370 
27         34.10000     2.87450     1.84666    23.8 
28        -50.88280      BF 
像面             ∞
【０３６４】
表６３  （非球面データ）
第12面
K=-2.91122E-01, A4=-4.87111E-05, A6= 3.58272E-07, A8=-3.98970E-08
A10= 8.17183E-10, A12=-7.54821E-12 
第14面
K= 0.00000E+00, A4= 1.14498E-04, A6=-5.87437E-06, A8= 5.18078E-07
A10=-5.23207E-09, A12= 0.00000E+00 
第15面
K= 0.00000E+00, A4= 1.17386E-04, A6=-4.48009E-06, A8= 4.23034E-07
A10=-2.80694E-09, A12= 0.00000E+00 
第21面
K=-1.26649E-01, A4=-4.33738E-05, A6= 2.51212E-06, A8=-1.02847E-07
A10= 2.39403E-09, A12=-1.16446E-11 
第22面
K=-4.78064E-01, A4= 4.82511E-06, A6= 2.51419E-06, A8=-9.22663E-08
A10= 1.63502E-09, A12= 0.00000E+00 
【０３６５】
表６４  （各種データ）
ズーム比     4.69375
広角      中間      望遠
焦点距離      12.3606   26.7881   58.0176
Ｆナンバー     3.51495   4.68243   5.78475
画角        44.6324   22.1606   10.5327
像高        11.0000   11.0000   11.0000
レンズ全長     77.2128   90.9389  111.1817
ＢＦ       14.96805  26.13646  39.06839
d5           0.2654   12.3490   24.4182 
d13         12.2765    5.4088    1.3371 
d15          2.4720    3.1413    3.1493 
d20          5.1115    1.7840    1.0894 
【０３６６】
表６５  （ズームレンズ群データ）
群    始面      焦点距離
1       1      64.47440
2       6      -9.11719
3      14      26.84137
4      16    -171.73160
5      21      23.31583
【０３６７】
（数値実施例１７）
数値実施例１７のズームレンズ系は、図６５に示した実施の形態１７に対応する。数値実施例１７のズームレンズ系の面データを表６６に、非球面データを表６７に、各種データを表６８に、ズーム群データを表６９に示す。
【０３６８】
表６６  （面データ）
面番号         r           d           nd         vd
物面             ∞
1         81.18370     1.20000     1.84666    23.8 
2         47.92900     4.31140     1.62299    58.1 
3        270.76510     0.10000 
4         55.46980     2.96000     1.80420    46.5 
5        152.01960        可変
6         35.00000     0.70000     1.90366    31.3 
7          9.59050     6.10680 
8*       -18.76050     1.10000     1.68966    53.0 
9         27.20680     0.20450 
10         21.95800     2.10350     1.94595    18.0 
11        518.28290        可変
12*        57.66300     1.55880     1.66547    55.2 
13*       -25.83970        可変
14(絞り)           ∞     0.80000
15         12.32080     4.50000     1.48749    70.4 
16         53.34470     2.94110     1.84666    23.8 
17         14.90930        可変
18         19.51170     5.00000     1.48749    70.4 
19        -23.84230     0.96840 
20*       -34.70410     1.10000     1.84666    23.8 
21         23.21970     2.19410 
22         27.08650     4.43980     1.75520    27.5 
23        -40.27110      BF 
像面             ∞
【０３６９】
表６７  （非球面データ）
第8面
K= 0.00000E+00, A4= 1.14451E-05, A6=-9.67896E-08, A8=-3.12143E-09
A10= 0.00000E+00, A12= 0.00000E+00 
第12面
K= 0.00000E+00, A4=-8.09473E-05, A6= 2.35817E-06, A8=-5.50379E-08
A10= 0.00000E+00, A12= 0.00000E+00 
第13面
K= 0.00000E+00, A4=-5.63697E-05, A6= 2.26951E-06, A8=-5.35582E-08
A10= 0.00000E+00, A12= 0.00000E+00 
第20面
K= 0.00000E+00, A4=-6.16776E-05, A6=-5.26771E-07, A8=-8.63502E-09
A10= 3.94452E-10, A12=-3.94169E-12 
【０３７０】
表６８  （各種データ）
ズーム比     4.70495
広角      中間      望遠
焦点距離      12.3700   26.8312   58.2002
Ｆナンバー     3.56995   4.89113   5.78961
画角        43.1080   21.9037   10.4919
像高        11.0000   11.0000   11.0000
レンズ全長     84.5038   98.6937  120.9891
ＢＦ       14.24935  30.01939  42.80595
d5           0.8000   12.4979   29.9184 
d11         17.1604    5.9161    1.2471 
d13          2.2642    6.0270    3.8046 
d17          7.7415    1.9449    0.9247 
【０３７１】
表６９  （ズームレンズ群データ）
群    始面      焦点距離
1       1      78.75066
2       6     -10.59398
3      12      27.01514
4      14   -2616.77566
5      18      31.91944
【０３７２】
（数値実施例１８）
数値実施例１８のズームレンズ系は、図６８に示した実施の形態１８に対応する。数値実施例１８のズームレンズ系の面データを表７０に、非球面データを表７１に、各種データを表７２に、ズーム群データを表７３に示す。
【０３７３】
表７０  （面データ）
面番号         r           d           nd         vd
物面             ∞
1         55.84490     1.20000     1.84666    23.8 
2         36.51990     3.64760     1.62299    58.1 
3         79.00430     0.10000 
4         41.52110     3.72750     1.72916    54.7 
5        127.00060        可変
6         47.48680     0.70000     1.88300    40.8 
7          9.21290     5.19790 
8        -36.31510     0.70000     1.71300    53.9 
9         22.54950     0.66020 
10         17.65370     2.13660     1.92286    20.9 
11         70.50910        可変
12*        49.20190     1.57590     1.62299    58.1 
13*       -25.66170        可変
14(絞り)           ∞     0.80000
15*         8.98950     3.73580     1.60602    57.4 
16        -23.04640     0.60110     1.80611    40.7 
17         10.79680        可変
18         15.23920     2.95980     1.51680    64.2 
19        -16.53070     0.47450 
20*      -319.44100     1.10000     1.84666    23.8 
21         14.29310     2.63530 
22         20.46790     3.82610     1.67270    32.2 
23        -17.44610     0.70000     1.80420    46.5 
24               ∞      BF
像面             ∞
【０３７４】
表７１  （非球面データ）
第12面
K= 0.00000E+00, A4= 4.08440E-05, A6= 1.16725E-06, A8= 1.00452E-08
A10= 0.00000E+00, A12= 0.00000E+00 
第13面
K= 0.00000E+00, A4= 6.23327E-05, A6= 8.72583E-07, A8= 1.27905E-08
A10= 0.00000E+00, A12= 0.00000E+00 
第15面
K= 7.49904E-03, A4= 2.87864E-07, A6=-7.57882E-07, A8= 1.85991E-08
A10=-5.34654E-10, A12= 0.00000E+00 
第20面
K= 0.00000E+00, A4=-1.32368E-04, A6=-1.96725E-06, A8= 1.78704E-08
A10=-3.79119E-12, A12=-1.04689E-11 
【０３７５】
表７２  （各種データ）
ズーム比     4.77533
広角      中間      望遠
焦点距離      12.2497   26.7697   58.4965
Ｆナンバー     3.52073   4.69668   5.78910
画角        43.8136   22.0230   10.4393
像高        11.0000   11.0000   11.0000
レンズ全長     73.5030   86.8070  107.4608
ＢＦ       14.25155  24.41954  35.64772
d5           0.8000   13.8560   28.6100 
d11         15.7500    6.6380    1.5347 
d13          2.3871    3.7055    4.0618 
d17          3.8361    1.7097    1.1283 
【０３７６】
表７３  （ズームレンズ群データ）
群    始面      焦点距離
1       1      76.11081
2       6     -11.08700
3      12      27.29203
4      14    -731.80378
5      18      31.94297
【０３７７】
（数値実施例１９）
数値実施例１９のズームレンズ系は、図７１に示した実施の形態１９に対応する。数値実施例１９のズームレンズ系の面データを表７４に、非球面データを表７５に、各種データを表７６に、ズーム群データを表７７に示す。
【０３７８】
表７４  （面データ）
面番号         r           d           nd         vd
物面             ∞
1         88.26400     1.20000     1.84666    23.8 
2         43.50280     0.01000     1.56732    42.8 
3         43.50280     4.99460     1.62299    58.1 
4        413.57560     0.10000 
5         39.72230     4.30830     1.72916    54.7 
6        147.58050        可変
7         38.98200     0.70000     1.88300    40.8 
8          8.80120     4.94460 
9        -23.63000     0.70000     1.83481    42.7 
10         11.23190     0.01000     1.56732    42.8 
11         11.23190     4.41630     1.86818    26.1 
12        -15.50650     0.55940 
13*       -10.59640     1.00000     1.80470    41.0 
14        -37.03350        可変
15         48.84520     1.50000     1.66547    55.2 
16*       -28.64240        可変
17(絞り)           ∞     1.50000
18         12.11450     3.01020     1.48749    70.4 
19        206.82520     0.01000     1.56732    42.8 
20        206.82520     0.60000     1.80610    33.3 
21         13.73900        可変
22*        10.25290     3.64690     1.60602    57.4 
23        -35.72650     0.10000 
24         35.21880     0.99980     1.83046    28.8 
25         11.73240     5.70560 
26         42.34090     6.03880     1.48749    70.4 
27         -8.14660     0.01000     1.56732    42.8 
28         -8.14660     0.70000     1.80420    46.5 
29        -51.32470     0.10000 
30         38.67420     2.06170     1.84666    23.8 
31       -187.37810      BF 
像面             ∞
【０３７９】
表７５  （非球面データ）
第13面
K= 0.00000E+00, A4= 7.39867E-05, A6= 6.02754E-07, A8=-2.24402E-08
A10= 5.25424E-10 
第16面
K= 0.00000E+00, A4= 1.84273E-05, A6= 3.35332E-07, A8=-2.88430E-08
A10= 6.97520E-10 
第22面
K=-1.12797E+00, A4= 2.54429E-05, A6=-9.39921E-08, A8= 1.65281E-09
A10= 0.00000E+00 
【０３８０】
表７６  （各種データ）
ズーム比     4.67743
広角      中間      望遠
焦点距離      12.4002   26.8121   58.0013
Ｆナンバー     3.38665   4.60269   5.80130
画角        44.3351   22.0102   10.5448
像高        11.0000   11.0000   11.0000
レンズ全長     81.1993   94.2455  115.1998
ＢＦ       14.94738  25.62181  37.54806
d6           0.3000   11.9797   24.2009 
d14         10.7089    5.0772    1.1000 
d16          2.4246    2.4406    3.2246 
d21          3.8922    0.2000    0.2000 
【０３８１】
表７７  （ズームレンズ群データ）
群    始面      焦点距離
1       1      60.94651
2       7      -8.55429
3      15      27.34279
4      17     -87.62354
5      22      22.54271
【０３８２】
（数値実施例２０）
数値実施例２０のズームレンズ系は、図７４に示した実施の形態２０に対応する。数値実施例２０のズームレンズ系の面データを表７８に、非球面データを表７９に、各種データを表８０に、ズーム群データを表８１に示す。
【０３８３】
表７８（面データ）
面番号         r           d           nd         vd
物面             ∞
1         87.71220     1.20000     1.84666    23.8 
2         42.95510     0.01000     1.56732    42.8 
3         42.95510     5.00420     1.62299    58.1 
4        369.62990     0.10000 
5         39.91070     4.34270     1.72916    54.7 
6        155.58550        可変
7         37.02080     0.70000     1.88300    40.8 
8          8.83250     5.00250 
9        -20.42380     0.70000     1.83481    42.7 
10         16.57920     0.01000     1.56732    42.8 
11         16.57920     3.78010     1.84666    23.8 
12        -15.28030     0.68100 
13*       -10.23960     1.00000     1.80470    41.0 
14        -26.55310        可変
15         45.43970     1.50000     1.66547    55.2 
16*       -30.07070        可変
17(絞り)           ∞     1.50000
18         12.92420     1.86330     1.48749    70.4 
19        346.37330     0.01000     1.56732    42.8 
20        346.37330     0.60000     1.80610    33.3 
21         15.30680        可変
22*        12.36500     5.90880     1.60602    57.4 
23        -35.29670     0.10000 
24         25.32620     1.00000     1.84666    23.8 
25         12.40490     5.39410 
26         77.10300     5.58810     1.48749    70.4 
27         -8.12600     0.01000     1.56732    42.8 
28         -8.12600     0.70000     1.80420    46.5 
29        -46.73290     0.10000 
30         36.85660     1.98410     1.84666    23.8 
31       -341.26400      BF 
像面             ∞
【０３８４】
表７９  （非球面データ）
第13面
K= 0.00000E+00, A4= 7.28351E-05, A6= 7.45521E-07, A8=-1.74222E-08
A10= 3.98208E-10 
第16面
K= 0.00000E+00, A4= 1.57549E-05, A6= 8.54823E-07, A8=-4.95846E-08
A10= 9.77720E-10 
第22面
K=-4.14123E+00, A4= 2.08375E-04, A6=-1.78708E-06, A8= 1.16736E-08
A10= 0.00000E+00 
【０３８５】
表８０  （各種データ）
ズーム比     4.67751
広角      中間      望遠
焦点距離      12.4001   26.8181   58.0015
Ｆナンバー     3.39366   4.82419   5.80135
画角        44.3286   22.2858   10.5142
像高        11.0000   11.0000   11.0000
レンズ全長     81.1832   93.3093  115.1803
ＢＦ       14.93352  27.81486  37.47430
d6           0.3000    9.4198   24.2385 
d14         10.8135    4.5720    1.1000 
d16          2.4012    2.3411    3.2012 
d21          3.9461    0.3726    0.3774 
【０３８６】
表８１  （ズームレンズ群データ）
群    始面      焦点距離
1       1      61.06108
2       7      -8.58914
3      15      27.40972
4      17     -91.81665
5      22      23.53555
【０３８７】
（数値実施例２１）
数値実施例２１のズームレンズ系は、図７７に示した実施の形態２１に対応する。数値実施例２１のズームレンズ系の面データを表８２に、非球面データを表８３に、各種データを表８４に、ズーム群データを表８５に示す。
【０３８８】
表８２  （面データ）
面番号         r           d           nd         vd
物面             ∞
1        201.83550     1.20000     1.84666    23.8 
2         66.61460     0.01000     1.56732    42.8 
3         66.61460     4.93160     1.62299    58.1 
4       -249.78590     0.10000 
5         34.41100     4.28390     1.72916    54.7 
6         80.13850        可変
7         35.00000     0.70000     1.88300    40.8 
8          8.70330     5.25180 
9        -23.48370     0.70000     1.88300    40.8 
10         33.38190     0.10000 
11         18.81810     3.47930     1.84666    23.8 
12        -19.44510     0.39820 
13        -14.82460     0.70000     1.80610    40.7 
14       -147.35880        可変
15*       111.29190     1.50000     1.66547    55.2 
16*       -31.23180        可変
17(絞り)           ∞     1.50000
18         11.71290     2.90370     1.84666    23.8 
19          8.08670     0.01000     1.56732    42.8 
20          8.08670     1.57140     1.51805    55.3 
21         13.49630        可変
22*        16.95600     3.26770     1.60602    57.4 
23        -26.94340     0.20000 
24         32.29380     0.70000     1.84666    23.8 
25         11.91580     0.01000     1.56732    42.8 
26         11.91580     5.64970     1.60328    61.3 
27         -9.89430     0.01000     1.56732    42.8 
28         -9.89430     0.70000     1.77250    49.6 
29         19.10340     4.48000 
30         35.06040     2.02760     1.84666    23.8 
31       -284.69790      BF 
像面             ∞
【０３８９】
表８３  （非球面データ）
第15面
K= 0.00000E+00, A4=-8.51215E-05, A6= 0.00000E+00, A8= 0.00000E+00
A10= 0.00000E+00 
第16面
K= 0.00000E+00, A4=-6.08697E-05, A6=-1.29115E-07, A8= 1.22762E-08
A10=-2.78378E-10 
第22面
K= 1.81114E+00, A4=-8.25524E-05, A6=-2.20802E-07, A8=-3.61059E-09
A10= 0.00000E+00 
【０３９０】
表８４  （各種データ）
ズーム比     4.67735
広角      中間      望遠
焦点距離      12.3998   26.8163   57.9982
Ｆナンバー     3.51704   4.95475   5.78611
画角        44.3687   22.0462   10.5177
像高        11.0000   11.0000   11.0000
レンズ全長     81.7158   94.5908  113.6458
ＢＦ       14.96629  25.42375  35.49561
d6           0.3052   12.6295   25.7437 
d14         12.1104    5.3002    1.1000 
d16          2.4896    3.8216    4.2216 
d21          5.4594    1.0309    0.7000 
【０３９１】
表８５  （ズームレンズ群データ）
群    始面      焦点距離
1       1      62.89272
2       7      -9.16020
3      15      36.80232
4      17     270.40987
5      22      25.37175
【０３９２】
（数値実施例２２）
数値実施例２２のズームレンズ系は、図８０に示した実施の形態２２に対応する。数値実施例２２のズームレンズ系の面データを表８６に、非球面データを表８７に、各種データを表８８に、ズーム群データを表８９に示す。
【０３９３】
表８６  （面データ）
面番号         r           d           nd         vd
物面             ∞
1        103.95510     1.20000     1.84666    23.8 
2         52.03290     3.50590     1.72916    54.7 
3        259.37390     0.10000 
4         44.12290     3.31660     1.72916    54.7 
5        138.91860        可変
6         35.00000     0.70000     1.90366    31.3 
7          9.09080     5.72300 
8*       -20.87040     1.10000     1.68966    53.0 
9         25.47610     0.48520 
10         20.61470     2.05620     1.94595    18.0 
11        222.90760        可変
12*        43.00460     1.59480     1.66547    55.2 
13*       -28.28110        可変
14(絞り)           ∞     0.80000
15          9.54420     3.66900     1.51680    64.2 
16        -28.87700     0.60600     1.80611    40.7 
17         11.90270        可変
18         12.92730     3.29950     1.48749    70.4 
19        -19.14670     2.62610 
20*       -63.90600     1.10000     1.84666    23.8 
21         19.01980     4.45410 
22         23.66820     2.78760     1.71736    29.5 
23       -500.00000      BF 
像面             ∞
【０３９４】
表８７  （非球面データ）
第8面
K= 0.00000E+00, A4= 6.10086E-06, A6=-2.02053E-07, A8=-2.99368E-09
A10= 0.00000E+00, A12= 0.00000E+00 
第12面
K= 0.00000E+00, A4=-1.33328E-05, A6= 5.11687E-07, A8= 4.90565E-08
A10= 0.00000E+00, A12= 0.00000E+00 
第13面
K= 0.00000E+00, A4= 1.10487E-05, A6= 9.31836E-08, A8= 5.77089E-08
A10= 0.00000E+00, A12= 0.00000E+00 
第20面
K= 0.00000E+00, A4=-1.39315E-04, A6=-2.38804E-06, A8= 4.02673E-08
A10=-1.43563E-09, A12= 1.91908E-11 
【０３９５】
表８８  （各種データ）
ズーム比     4.70507
広角      中間      望遠
焦点距離      12.3694   26.8235   58.1992
Ｆナンバー     3.56734   4.75407   5.78285
画角        43.4525   21.9127   10.5030
像高        11.0000   11.0000   11.0000
レンズ全長     76.0039   89.4503  109.6387
ＢＦ       14.25166  25.64873  38.09690
d5           0.8000   12.2022   26.0988 
d11         15.3235    6.3161    1.2987 
d13          2.3385    4.5843    3.8822 
d17          4.1662    1.5750    1.1381 
【０３９６】
表８９  （ズームレンズ群データ）
群    始面      焦点距離
1       1      69.39989
2       6     -10.56381
3      12      25.86902
4      14     -80.77582
5      18      25.62722
【０３９７】
以下の表９０及び９１に、各数値実施例に係るズームレンズ系における各条件の対応値を示す。
表９０  （条件の対応値：数値実施例１〜１１）
【表２】
2009251116.tif 000005
【０３９８】
表９１  （条件の対応値：数値実施例１２〜２２）
【表３】
2009251116.tif 000006
【産業上の利用可能性】
【０３９９】
本発明に係るズームレンズ系は、デジタルスチルカメラ、デジタルビデオカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルスチルカメラ、デジタルビデオカメラ等の高画質が要求される撮影光学系に好適である。
【図面の簡単な説明】
【０４００】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の近接合焦状態の縦収差図
【図４】実施例１に係るズームレンズ系の望遠端における、像ぶれ補正を行っていない基本状態及び像ぶれ補正状態での横収差図
【図５】実施の形態２（実施例２）に係るズームレンズ系の無限遠合焦状態を示すレンズ配置図
【図６】実施例２に係るズームレンズ系の無限遠合焦状態の縦収差図
【図７】実施例２に係るズームレンズ系の近接合焦状態の縦収差図
【図８】実施例２に係るズームレンズ系の望遠端における、像ぶれ補正を行っていない基本状態及び像ぶれ補正状態での横収差図
【図９】実施の形態３（実施例３）に係るズームレンズ系の無限遠合焦状態を示すレンズ配置図
【図１０】実施例３に係るズームレンズ系の無限遠合焦状態の縦収差図
【図１１】実施例３に係るズームレンズ系の近接合焦状態の縦収差図
【図１２】実施例３に係るズームレンズ系の望遠端における、像ぶれ補正を行っていない基本状態及び像ぶれ補正状態での横収差図
【図１３】実施の形態４（実施例４）に係るズームレンズ系の無限遠合焦状態を示すレンズ配置図
【図１４】実施例４に係るズームレンズ系の無限遠合焦状態の縦収差図
【図１５】実施例４に係るズームレンズ系の近接合焦状態の縦収差図
【図１６】実施例４に係るズームレンズ系の望遠端における、像ぶれ補正を行っていない基本状態及び像ぶれ補正状態での横収差図
【図１７】実施の形態５（実施例５）に係るズームレンズ系の無限遠合焦状態を示すレンズ配置図
【図１８】実施例５に係るズームレンズ系の無限遠合焦状態の縦収差図
【図１９】実施例５に係るズームレンズ系の近接合焦状態の縦収差図
【図２０】実施例５に係るズームレンズ系の望遠端における、像ぶれ補正を行っていない基本状態及び像ぶれ補正状態での横収差図
【図２１】実施の形態６（実施例６）に係るズームレンズ系の無限遠合焦状態を示すレンズ配置図
【図２２】実施例６に係るズームレンズ系の無限遠合焦状態の縦収差図
【図２３】実施例６に係るズームレンズ系の近接合焦状態の縦収差図
【図２４】実施例６に係るズームレンズ系の望遠端における、像ぶれ補正を行っていない基本状態及び像ぶれ補正状態での横収差図
【図２５】実施の形態７（実施例７）に係るズームレンズ系の無限遠合焦状態を示すレンズ配置図
【図２６】実施例７に係るズームレンズ系の無限遠合焦状態の縦収差図
【図２７】実施例７に係るズームレンズ系の近接合焦状態の縦収差図
【図２８】実施例７に係るズームレンズ系の望遠端における、像ぶれ補正を行っていない基本状態及び像ぶれ補正状態での横収差図
【図２９】実施の形態８（実施例８）に係るズームレンズ系の無限遠合焦状態を示すレンズ配置図
【図３０】実施例８に係るズームレンズ系の無限遠合焦状態の縦収差図
【図３１】実施例８に係るズームレンズ系の近接合焦状態の縦収差図
【図３２】実施例８に係るズームレンズ系の望遠端における、像ぶれ補正を行っていない基本状態及び像ぶれ補正状態での横収差図
【図３３】実施の形態９（実施例９）に係るズームレンズ系の無限遠合焦状態を示すレンズ配置図
【図３４】実施例９に係るズームレンズ系の無限遠合焦状態の縦収差図
【図３５】実施例９に係るズームレンズ系の近接合焦状態の縦収差図
【図３６】実施例９に係るズームレンズ系の望遠端における、像ぶれ補正を行っていない基本状態及び像ぶれ補正状態での横収差図
【図３７】実施の形態１０（実施例１０）に係るズームレンズ系の無限遠合焦状態を示すレンズ配置図
【図３８】実施例１０に係るズームレンズ系の無限遠合焦状態の縦収差図
【図３９】実施例１０に係るズームレンズ系の近接合焦状態の縦収差図
【図４０】実施例１０に係るズームレンズ系の望遠端における、像ぶれ補正を行っていない基本状態及び像ぶれ補正状態での横収差図
【図４１】実施の形態１１（実施例１１）に係るズームレンズ系の無限遠合焦状態を示すレンズ配置図
【図４２】実施例１１に係るズームレンズ系の無限遠合焦状態の縦収差図
【図４３】実施例１１に係るズームレンズ系の近接合焦状態の縦収差図
【図４４】実施例１１に係るズームレンズ系の望遠端における、像ぶれ補正を行っていない基本状態及び像ぶれ補正状態での横収差図
【図４５】実施の形態１２（実施例１２）に係るズームレンズ系の無限遠合焦状態を示すレンズ配置図
【図４６】実施例１２に係るズームレンズ系の無限遠合焦状態の縦収差図
【図４７】実施例１２に係るズームレンズ系の近接合焦状態の縦収差図
【図４８】実施例１２に係るズームレンズ系の望遠端における、像ぶれ補正を行っていない基本状態及び像ぶれ補正状態での横収差図
【図４９】実施の形態１３（実施例１３）に係るズームレンズ系の無限遠合焦状態を示すレンズ配置図
【図５０】実施例１３に係るズームレンズ系の無限遠合焦状態の縦収差図
【図５１】実施例１３に係るズームレンズ系の近接合焦状態の縦収差図
【図５２】実施例１３に係るズームレンズ系の望遠端における、像ぶれ補正を行っていない基本状態及び像ぶれ補正状態での横収差図
【図５３】実施の形態１４（実施例１４）に係るズームレンズ系の無限遠合焦状態を示すレンズ配置図
【図５４】実施例１４に係るズームレンズ系の無限遠合焦状態の縦収差図
【図５５】実施例１４に係るズームレンズ系の近接合焦状態の縦収差図
【図５６】実施例１４に係るズームレンズ系の望遠端における、像ぶれ補正を行っていない基本状態及び像ぶれ補正状態での横収差図
【図５７】実施の形態１５（実施例１５）に係るズームレンズ系の無限遠合焦状態を示すレンズ配置図
【図５８】実施例１５に係るズームレンズ系の無限遠合焦状態の縦収差図
【図５９】実施例１５に係るズームレンズ系の近接合焦状態の縦収差図
【図６０】実施例１５に係るズームレンズ系の望遠端における、像ぶれ補正を行っていない基本状態及び像ぶれ補正状態での横収差図
【図６１】実施の形態１６（実施例１６）に係るズームレンズ系の無限遠合焦状態を示すレンズ配置図
【図６２】実施例１６に係るズームレンズ系の無限遠合焦状態の縦収差図
【図６３】実施例１６に係るズームレンズ系の近接合焦状態の縦収差図
【図６４】実施例１６に係るズームレンズ系の望遠端における、像ぶれ補正を行っていない基本状態及び像ぶれ補正状態での横収差図
【図６５】実施の形態１７（実施例１７）に係るズームレンズ系の無限遠合焦状態を示すレンズ配置図
【図６６】実施例１７に係るズームレンズ系の無限遠合焦状態の縦収差図
【図６７】実施例１７に係るズームレンズ系の近接合焦状態の縦収差図
【図６８】実施の形態１８（実施例１８）に係るズームレンズ系の無限遠合焦状態を示すレンズ配置図
【図６９】実施例１８に係るズームレンズ系の無限遠合焦状態の縦収差図
【図７０】実施例１８に係るズームレンズ系の近接合焦状態の縦収差図
【図７１】実施の形態１９（実施例１９）に係るズームレンズ系の無限遠合焦状態を示すレンズ配置図
【図７２】実施例１９に係るズームレンズ系の無限遠合焦状態の縦収差図
【図７３】実施例１９に係るズームレンズ系の近接合焦状態の縦収差図
【図７４】実施の形態２０（実施例２０）に係るズームレンズ系の無限遠合焦状態を示すレンズ配置図
【図７５】実施例２０に係るズームレンズ系の無限遠合焦状態の縦収差図
【図７６】実施例２０に係るズームレンズ系の近接合焦状態の縦収差図
【図７７】実施の形態２１（実施例２１）に係るズームレンズ系の無限遠合焦状態を示すレンズ配置図
【図７８】実施例２１に係るズームレンズ系の無限遠合焦状態の縦収差図
【図７９】実施例２１に係るズームレンズ系の近接合焦状態の縦収差図
【図８０】実施の形態２２（実施例２２）に係るズームレンズ系の無限遠合焦状態を示すレンズ配置図
【図８１】実施例２２に係るズームレンズ系の無限遠合焦状態の縦収差図
【図８２】実施例２２に係るズームレンズ系の近接合焦状態の縦収差図
【図８３】実施の形態２３に係るカメラシステムのブロック図
【符号の説明】
【０４０１】
１００  カメラ本体
１０１  カメラコントローラ
１０２  撮像センサ
１０３  シャッタユニット
１０４  画像表示制御部
１０５  撮像センサ制御部
１０６  コントラスト検出部
１０７  シャッタユニット制御部
１０８  画像記録制御部
１０９  メモリカード
１１０  ディスプレイ
１１１  レリーズ釦
１１２  メモリ（本体）
１１３  電源
１１４  カメラマウント
２００  交換レンズ装置
２０１  レンズコントローラ
２０２  像ぶれ補正部
２０３  絞り制御部
２０４  フォーカス制御部
２０５  ズーム制御部
２０６  メモリ（レンズ）
２０７  ぶれ検出部
２０８  絞りユニット
２０９  ズームレンズ系
２０９ａ  ズームレンズ群
２０９ｂ  フォーカシングレンズ群
２１０  レンズマウント
【図１】
2009251116.tif 000007
【図２】
2009251116.tif 000008
【図３】
2009251116.tif 000009
【図４】
2009251116.tif 000010
【図５】
2009251116.tif 000011
【図６】
2009251116.tif 000012
【図７】
2009251116.tif 000013
【図８】
2009251116.tif 000014
【図９】
2009251116.tif 000015
【図１０】
2009251116.tif 000016
【図１１】
2009251116.tif 000017
【図１２】
2009251116.tif 000018
【図１３】
2009251116.tif 000019
【図１４】
2009251116.tif 000020
【図１５】
2009251116.tif 000021
【図１６】
2009251116.tif 000022
【図１７】
2009251116.tif 000023
【図１８】
2009251116.tif 000024
【図１９】
2009251116.tif 000025
【図２０】
2009251116.tif 000026
【図２１】
2009251116.tif 000027
【図２２】
2009251116.tif 000028
【図２３】
2009251116.tif 000029
【図２４】
2009251116.tif 000030
【図２５】
2009251116.tif 000031
【図２６】
2009251116.tif 000032
【図２７】
2009251116.tif 000033
【図２８】
2009251116.tif 000034
【図２９】
2009251116.tif 000035
【図３０】
2009251116.tif 000036
【図３１】
2009251116.tif 000037
【図３２】
2009251116.tif 000038
【図３３】
2009251116.tif 000039
【図３４】
2009251116.tif 000040
【図３５】
2009251116.tif 000041
【図３６】
2009251116.tif 000042
【図３７】
2009251116.tif 000043
【図３８】
2009251116.tif 000044
【図３９】
2009251116.tif 000045
【図４０】
2009251116.tif 000046
【図４１】
2009251116.tif 000047
【図４２】
2009251116.tif 000048
【図４３】
2009251116.tif 000049
【図４４】
2009251116.tif 000050
【図４５】
2009251116.tif 000051
【図４６】
2009251116.tif 000052
【図４７】
2009251116.tif 000053
【図４８】
2009251116.tif 000054
【図４９】
2009251116.tif 000055
【図５０】
2009251116.tif 000056
【図５１】
2009251116.tif 000057
【図５２】
2009251116.tif 000058
【図５３】
2009251116.tif 000059
【図５４】
2009251116.tif 000060
【図５５】
2009251116.tif 000061
【図５６】
2009251116.tif 000062
【図５７】
2009251116.tif 000063
【図５８】
2009251116.tif 000064
【図５９】
2009251116.tif 000065
【図６０】
2009251116.tif 000066
【図６１】
2009251116.tif 000067
【図６２】
2009251116.tif 000068
【図６３】
2009251116.tif 000069
【図６４】
2009251116.tif 000070
【図６５】
2009251116.tif 000071
【図６６】
2009251116.tif 000072
【図６７】
2009251116.tif 000073
【図６８】
2009251116.tif 000074
【図６９】
2009251116.tif 000075
【図７０】
2009251116.tif 000076
【図７１】
2009251116.tif 000077
【図７２】
2009251116.tif 000078
【図７３】
2009251116.tif 000079
【図７４】
2009251116.tif 000080
【図７５】
2009251116.tif 000081
【図７６】
2009251116.tif 000082
【図７７】
2009251116.tif 000083
【図７８】
2009251116.tif 000084
【図７９】
2009251116.tif 000085
【図８０】
2009251116.tif 000086
【図８１】
2009251116.tif 000087
【図８２】
2009251116.tif 000088
【図８３】
2009251116.tif 000089